(57)【特許請求の範囲】
【請求項１】
第一媒体と、電子ペンと、情報出力装置と、送信装置を具備する情報処理システムであって、
前記第一媒体は、
前記情報出力装置で出力するコンテンツに関連する情報である関連情報を指定する領域である関連情報領域を1以上有し、
前記電子ペンは、
前記第一媒体に記載された情報を取得する情報取得部と、
前記情報取得部が取得した情報を前記情報出力装置に送信する送信部を具備し、
前記情報出力装置は、
前記送信装置からコンテンツを受信するコンテンツ取得部と、
前記電子ペンから情報を受信するペン情報受信部と、
前記ペン情報受信部が受信した情報に基づいて、関連情報を取得する関連情報取得部と、
前記コンテンツおよび前記関連情報を出力する情報出力部を具備し、
前記送信装置は、
コンテンツを格納しているコンテンツ格納部と、
前記コンテンツを送信するコンテンツ送信部を具備する情報処理システムであって、
前記情報出力部は、
ユーザが前記コンテンツを視聴中に、前記ユーザが前記第一媒体に記載した情報に基づいて前記関連情報取得部が取得した関連情報を、前記コンテンツと共に出力する情報処理システム。
【請求項２】
前記第一媒体の前記関連情報領域または当該関連情報領域付近には、前記コンテンツに関連する用語が記載されており、
前記関連情報は、
前記用語についての説明または訳を示す情報である請求項１記載の情報処理システム。
【請求項３】
前記関連情報取得部は、
前記ペン情報受信部が前記電子ペンから、前記第一媒体に記載された情報を受信した場合に、ただちに関連情報を取得し、
前記情報出力部は、
前記関連情報取得部が関連情報を取得した場合に、ただちに関連情報を出力する請求項１または請求項２いずれか記載の情報処理システム。
【請求項４】
第一媒体と、第二媒体と、電子ペンと、情報出力装置と、送信装置を具備する情報処理システムであって、
前記第一媒体は、
前記情報出力装置が出力するコンテンツに関連する情報である関連情報を指定する領域である関連情報領域を1以上有し、
前記第二媒体は、
第一の解答を記入する領域である第一解答領域を有し、
前記電子ペンは、
前記第一媒体または前記第二媒体に記載された情報を取得する情報取得部と、
前記情報取得部が取得した情報を前記情報出力装置に送信する送信部を具備し、
前記情報出力装置は、
前記送信装置から教育に関するコンテンツである教育コンテンツを受信するコンテンツ取得部と、
前記電子ペンから情報を受信するペン情報受信部と、
前記ペン情報受信部が受信した情報の中の前記第一媒体に記載された情報に基づいて、関連情報を取得する関連情報取得部と、
前記教育コンテンツ、および前記ペン情報受信部が受信した情報の中の情報で、前記電子ペンを使用して前記第一解答領域に記載された情報に関する情報である自己第一解答情報、および前記関連情報取得部が取得した関連情報を出力する情報出力部を具備し、
前記送信装置は、
教育コンテンツを格納している教育コンテンツ格納部と、
前記教育コンテンツを送信する教育コンテンツ送信部を具備する情報処理システムであって、
前記情報出力部は、
ユーザが前記教育コンテンツを視聴中に、前記ユーザが前記第一媒体に記載した情報に基づいて前記関連情報取得部が取得した関連情報を、前記教育コンテンツと共に出力する情報処理システム。
【請求項５】
第一媒体と、第二媒体と、電子ペンと、情報出力装置と、送信装置を具備する情報処理システムであって、
前記第一媒体は、
前記情報出力装置が出力するコンテンツに関連する情報である関連情報を指定する領域である関連情報領域を1以上有し、
前記第二媒体は、
第一の解答を記入する領域である第一解答領域を有し、
前記電子ペンは、
前記第一媒体または前記第二媒体に記載された情報を取得する情報取得部と、
前記情報取得部が取得した情報を前記情報出力装置に送信する送信部を具備し、
前記情報出力装置は、
前記送信装置から教育に関するコンテンツである教育コンテンツを受信するコンテンツ取得部と、
前記電子ペンから情報を受信するペン情報受信部と、
前記ペン情報受信部が受信した情報の中の前記第一媒体に記載された情報に基づいて、関連情報を取得する関連情報取得部と、
前記ペン情報受信部が受信した情報のうちの少なくとも一部の情報を前記送信装置に送信するペン情報送信部と、
前記電子ペンを使用して前記第一解答領域に記載された情報であり、当該電子ペンのユーザではない第三者が記載した情報に関する情報である他人第一解答情報を受信する他人第一解答情報受信部と、
前記教育コンテンツ、および前記他人第一解答情報、および前記関連情報取得部が取得した関連情報を出力する情報出力部を具備し、
前記送信装置は、
教育コンテンツを格納している教育コンテンツ格納部と、
前記教育コンテンツを送信する教育コンテンツ送信部と、
前記情報出力装置から前記電子ペンを使用して前記第一解答領域に記載された情報を受信する解答情報受信部と、
前記解答情報受信部が受信した情報に基づいて、他人第一解答情報を構成する他人第一解答情報構成部と、
前記他人第一解答情報構成部が構成した他人第一解答情報を前記情報出力装置に送信する他人第一解答情報送信部を具備する情報処理システムであって、
前記情報出力部は、
ユーザが前記コンテンツを視聴中に、前記ユーザが前記第一媒体に記載した情報に基づいて前記関連情報取得部が取得した関連情報を、前記コンテンツと共に出力する情報処理システム。
【請求項６】
前記第二媒体は、
前記情報出力装置に出力する情報を選択する情報である選択指示を記載する領域である選択領域をさらに有し、
前記ペン情報受信部は、
前記電子ペンから前記電子ペンを使用して記載された選択指示をも受信し
前記情報出力部は、
前記電子ペンを使用して記載された選択指示に基づいて、出力する情報を変更する請求項４または請求項５記載の情報処理システム。
【請求項７】
第一媒体と、第二媒体と、電子ペンと、情報出力装置と、送信装置を具備する情報処理システムであって、
前記第一媒体は、
前記情報出力装置で出力するコンテンツに関連する情報である関連情報を指定する領域である関連情報領域を1以上有し、
前記第二媒体は、
教育に出席をしていること示す情報を記載する領域である出席領域と、
第一の解答を記載する領域である第一解答領域と、
第二の解答を記載する領域である第二解答領域を有し、
前記電子ペンは、
前記第一媒体または前記第二媒体に記載された情報を取得する情報取得部と、
前記情報取得部が取得した情報を前記情報出力装置に送信する送信部を具備し、
前記情報出力装置は、
前記送信装置から教育に関するコンテンツである教育コンテンツを受信するコンテンツ取得部と、
前記電子ペンから情報を受信するペン情報受信部と、
前記ペン情報受信部が受信した情報の中の前記第一媒体に記載された情報に基づいて、関連情報を取得する関連情報取得部と、
前記ペン情報受信部が受信した情報のうちの少なくとも一部の情報を前記送信装置に送信するペン情報送信部と、
出席に関する情報である出席情報を前記送信装置から受信する授業出席情報受信部と、
前記電子ペンを使用して前記第一解答領域に記載された情報であり、当該電子ペンのユーザではない第三者が記載した情報に関する情報である他人第一解答情報を前記送信装置から受信する他人第一解答情報受信部と、
前記電子ペンを使用して前記第一解答領域に記載された情報であり、当該電子ペンのユーザが記載した情報に関する情報である自己第一解答情報を前記送信装置から受信する自己第一解答情報受信部と、
前記電子ペンを使用して前記第二解答領域に記載された情報であり、当該電子ペンのユーザおよび第三者が記載した情報に関する情報である自他第二解答情報を前記送信装置から受信する第二解答情報受信部と、
前記電子ペンを使用して記載された選択指示に基づいて、前記教育コンテンツおよび他人第一解答情報および自己第一解答情報および自他第二解答情報を出力し、かつ前記関連情報取得部が取得した関連情報を出力する情報出力部を具備し、
前記送信装置は、
教育コンテンツを格納している教育コンテンツ格納部と、
前記教育コンテンツを送信する教育コンテンツ送信部と、
前記情報出力装置から前記電子ペンを使用して前記出席領域に記載された情報を受信する出席情報受信部と、
前記情報出力装置から前記電子ペンを使用して前記第一解答領域に記載された情報を受信する第一解答情報受信部と、
前記情報出力装置から前記電子ペンを使用して前記第二解答領域に記載された情報を受信する第二解答情報受信部と、
1以上の情報出力装置から受信した前記出席領域に記載された情報に基づいて、出席情報を構成する出席情報構成部と、
1以上の情報出力装置から受信した前記第一解答領域に記載された情報に基づいて、他人第一解答情報および自己第一解答情報を構成する第一解答情報構成部と、
1以上の情報出力装置から受信した前記第二解答領域に記載された情報に基づいて、自他第二解答情報を構成する自他第二解答情報構成部と、
前記出席情報構成部が構成した出席情報を前記情報出力装置に送信する出席情報送信部と、
前記第一解答情報構成部が構成した他人第一解答情報および自己第一解答情報を送信する第一解答情報送信部と、
前記自他第二解答情報構成部が構成した自他第二解答情報を送信する自他第二解答情報送信部を具備する情報処理システムであって、
前記情報出力部は、
ユーザが前記教育コンテンツを視聴中に、前記ユーザが前記第一媒体に記載した情報に基づいて前記関連情報取得部が取得した関連情報を、前記教育コンテンツと共に出力する情報処理システム。
【請求項８】
前記情報出力装置は、
コンテンツの出力切り替えの指示である出力制御指示を受信する出力制御指示受信部をさらに具備し、
前記情報出力部は、
前記出力制御指示に基づいて、出力する情報または／および出力する態様を変更し、
前記送信装置は、
前記情報出力装置から前記電子ペンを使用して前記選択領域に記載された情報を受信する選択情報受信部と、
前記選択情報受信部が受信した情報に基づいて出力制御指示を取得する出力制御指示取得部と、
前記出力制御指示取得部が取得した出力制御指示を前記情報出力装置に送信する出力制御指示送信部をさらに具備する請求項４から請求項７いずれか記載の情報処理システム。
【請求項９】
前記関連情報取得部は、
前記ペン情報受信部が前記電子ペンから、前記第一媒体に記載された情報を受信した場合に、ただちに関連情報を取得し、
前記情報出力部は、
前記関連情報取得部が関連情報を取得した場合に、ただちに関連情報を出力する請求項７または請求項８いずれか記載の情報処理システム。
【請求項１０】
前記情報出力装置は、
前記コンテンツに関連する情報である関連情報を1以上格納している関連情報格納部をさらに具備し、
前記関連情報取得部は、
前記ペン情報受信部が受信した情報に基づいて、前記関連情報格納部から関連情報を取得する請求項１から請求項９いずれか記載の情報処理システム。
【請求項１１】
前記情報出力部は、
前記関連情報を出力した後、所定の時間経過後に、自動的に未表示にする請求項１から請求項１０いずれか記載の情報処理システム。
【請求項１２】
コンテンツを取得するコンテンツ取得部と、
電子ペンから情報を受信するペン情報受信部と、
前記ペン情報受信部が受信した情報に基づいて、関連情報を取得する関連情報取得部と、
前記コンテンツおよび前記関連情報を出力する情報出力部を具備する情報出力装置であって、
前記情報出力部は、
ユーザが前記コンテンツを視聴中に、前記ユーザが前記電子ペンを用いて記載した情報に基づいて前記関連情報取得部が取得した関連情報を、前記コンテンツと共に出力する情報出力装置。
【請求項１３】
電子ペンを使用して第一解答領域に記載された情報であり、当該電子ペンのユーザではない第三者が記載した情報に関する情報である他人第一解答情報を受信する他人第一解答情報受信部をさらに具備し、
前記情報出力部は、
前記コンテンツおよび前記関連情報および前記他人第一解答情報を出力する請求項１２記載の情報出力装置。
【請求項１４】
電子ペンを使用して第一解答領域に記載された情報であり、当該電子ペンのユーザが記載した情報に関する情報である自己第一解答情報を受信する自己第一解答情報受信部をさらに具備し、
前記情報出力部は、
前記コンテンツおよび前記関連情報および前記自己第一解答情報を出力する請求項１２記載の情報出力装置。
【請求項１５】
電子ペンを使用して第二解答領域に記載された情報であり、当該電子ペンのユーザまたは／および第三者が記載した情報に関する情報である自他第二解答情報を受信する第二解答情報受信部をさらに具備し、
前記情報出力部は、
前記コンテンツおよび前記関連情報および前記自他第二解答情報を出力する請求項１２記載の情報出力装置。
【請求項１６】
電子ペンを使用して第一解答領域に記載された情報であり、当該電子ペンのユーザではない第三者が記載した情報に関する情報である他人第一解答情報を受信する他人第一解答情報受信部と、
電子ペンを使用して第一解答領域に記載された情報であり、当該電子ペンのユーザが記載した情報に関する情報である自己第一解答情報を受信する自己第一解答情報受信部と、
電子ペンを使用して第二解答領域に記載された情報であり、当該電子ペンのユーザまたは／および第三者が記載した情報に関する情報である自他第二解答情報を受信する第二解答情報受信部をさらに具備し、
前記情報出力部は、
前記コンテンツおよび前記関連情報および前記他人第一解答情報および前記自己第一解答情報および前記自他第二解答情報を出力する請求項１２記載の情報出力装置。
【請求項１７】
前記情報出力部は、
前記電子ペンを使用した前記選択領域の選択指示に基づいて、出力する情報または、出力する態様を変更する請求項１２から請求項１６いずれか記載の情報出力装置。
【請求項１８】
前記コンテンツに関連する情報である関連情報を1以上格納している関連情報格納部をさらに具備し、
前記関連情報取得部は、
前記ペン情報受信部が受信した情報に基づいて、前記関連情報格納部から関連情報を取得する請求項１２から請求項１７いずれか記載の情報出力装置。
【請求項１９】
前記情報出力部は、
前記関連情報を出力した後、所定の時間経過後に自動的に前記関連情報を未表示とする請求項１２から請求項１８いずれか記載の情報出力装置。
【請求項２０】
請求項１から請求項１１いずれか記載の情報処理システムを構成する第一媒体。
【請求項２１】
請求項１から請求項１１いずれか記載の情報処理システムを構成する電子ペン。
【請求項２２】
請求項１から請求項１１いずれか記載の情報処理システムを構成する情報出力装置。
【請求項２３】
請求項１から請求項１１いずれか記載の情報処理システムを構成する送信装置。
【請求項２４】
請求項４から請求項１１いずれか記載の情報処理システムを構成する第二媒体。
【請求項２５】
コンテンツを取得するコンテンツ取得ステップと、
前記コンテンツを出力するステップと、
前記コンテンツの出力中に、電子ペンを用いて媒体に記載された情報に基づいて取得された関連情報を、前記コンテンツと共に出力するステップを具備する情報出力方法。
【請求項２６】
コンピュータに、
コンテンツを取得するコンテンツ取得ステップと、
前記コンテンツを出力するステップと、
前記コンテンツの出力中に、電子ペンを用いて媒体に記載された情報に基づいて取得された関連情報を、前記コンテンツと共に出力するステップを実行させるためのプログラム。
【請求項２７】
コンピュータに、
前記関連情報を出力した後、所定の時間経過後に自動的に前記関連情報を未表示とするステップをさらに実行させるための請求項２６記載のプログラム。
【請求項２８】
コンピュータに、
教育コンテンツを取得するコンテンツ取得ステップと、
前記電子ペンから情報を受信するペン情報受信ステップと、
前記ペン情報受信ステップで受信した情報の中の第一媒体に記載された情報に基づいて、関連情報を取得する関連情報取得ステップと、
前記教育コンテンツ、および前記ペン情報受信ステップで受信した情報の中の情報で、前記電子ペンを使用して前記第一解答領域に記載された情報に関する情報である自己第一解答情報、および前記関連情報取得ステップで取得した関連情報を出力する情報出力ステップを実行させるためのプログラムであって、
前記情報出力ステップにおいて、
ユーザが前記教育コンテンツを視聴中に、前記ユーザが前記電子ペンを用いて記載した情報に基づいて前記関連情報取得ステップで取得された関連情報を、前記教育コンテンツと共に出力するプログラム。
【請求項２９】
コンピュータに、
教育コンテンツを取得するコンテンツ取得ステップと、
前記電子ペンから情報を受信するペン情報受信ステップと、
前記ペン情報受信ステップで受信した情報の中の第一媒体に記載された情報に基づいて、関連情報を取得する関連情報取得ステップと、
前記ペン情報受信ステップで受信した情報のうちの少なくとも一部の情報を送信するペン情報送信ステップと、
前記電子ペンを使用して前記第一解答領域に記載された情報であり、当該電子ペンのユーザではない第三者が記載した情報に関する情報である他人第一解答情報を受信する他人第一解答情報受信ステップと、
前記教育コンテンツ、および前記他人第一解答情報、および前記関連情報取得部が取得した関連情報を出力する情報出力ステップを実行させるためのプログラムであって、
前記情報出力ステップにおいて、
ユーザが前記教育コンテンツを視聴中に、前記ユーザが前記電子ペンを用いて記載した情報に基づいて前記関連情報取得ステップで取得された関連情報を、前記教育コンテンツと共に出力するプログラム。
【請求項３０】
前記ペン情報受信ステップにおいて、
前記電子ペンから前記電子ペンを使用して記載された選択指示をも受信し、
情報出力ステップにおいて、
前記電子ペンを使用して記載された選択指示に基づいて、出力する情報を変更する請求項２８または請求項２９記載のプログラム。
【請求項３１】
コンピュータに、
教育コンテンツを取得するコンテンツ取得ステップと、
前記電子ペンから情報を受信するペン情報受信ステップと、
前記ペン情報受信ステップで受信した情報の中の第一媒体に記載された情報に基づいて、関連情報を取得する関連情報取得ステップと、
前記ペン情報受信ステップで受信した情報のうちの少なくとも一部の情報を送信するペン情報送信ステップと、
出席に関する情報である出席情報を受信する授業出席情報受信ステップと、
前記電子ペンを使用して前記第一解答領域に記載された情報であり、当該電子ペンのユーザではない第三者が記載した情報に関する情報である他人第一解答情報を受信する他人第一解答情報受信ステップと、
前記電子ペンを使用して前記第一解答領域に記載された情報であり、当該電子ペンのユーザが記載した情報に関する情報である自己第一解答情報を受信する自己第一解答情報受信ステップと、
前記電子ペンを使用して前記第二解答領域に記載された情報であり、当該電子ペンのユーザおよび第三者が記載した情報に関する情報である自他第二解答情報を受信する第二解答情報受信ステップと、
前記電子ペンを使用して記載された選択指示に基づいて、前記教育コンテンツおよび他人第一解答情報および自己第一解答情報および自他第二解答情報を出力し、かつ前記関連情報取得ステップで取得した関連情報を出力する情報出力ステップを実行させるためのプログラムであって、
前記情報出力ステップにおいて、
ユーザが前記教育コンテンツを視聴中に、前記ユーザが前記電子ペンを用いて記載した情報に基づいて前記関連情報取得ステップで取得された関連情報を、前記教育コンテンツと共に出力するプログラム。
【発明の詳細な説明】
【技術分野】
【０００１】
本発明は、電子ペンを利用して教育等を支援する情報処理システム等に関するものである。
【背景技術】
【０００２】
従来の第一の技術として、電子ペン（非特許文献１参照）を利用して、教育を支援するシステムであり、文字等の練習を行う情報処理システムがある。【０００３】
本システムは、インクペンユニット、学習者が漢字練習用紙に漢字を記入した場合に当該漢字練習用紙から漢字を書いた際の書き順に関するストロークデータを取得するストロークデータ取得ユニット、及び取得されたストロークデータを無線通信により送信する送信ユニット、を少なくとも備える電子ペンと、前記電子ペンから送信されたストロークデータを受信する受信手段と、各漢字の正しい書き順に関する書き順データが記録されている書き順記録データベースと、前記電子ペンから受信したストロークデータと、前記書き順記録データベースに記録された書き順データを比較して、学習者の漢字の書き順が正しい書き順であるか否かを判定する判定手段と、を備えることを特徴とする漢字書き順学習システムである（特許文献１参照）。【０００４】
また、従来の第二の技術として、教育番組を、片方向で放送するシステムがある。
【特許文献１】特開２００４−４５８４４（第１頁、第１図等）
【非特許文献１】アノト日本株式会社ホームページ、インターネット＜ＵＲＬ：ｈｔｔｐ：／／ｗｗｗ．ａｎｏｔｏ．ｊｐ／ｔｓｕｉｔｅ．ｈｔｍｌ＞
【発明の開示】
【発明が解決しようとする課題】
【０００５】
しかし、従来の第一の技術においては、漢字の書き順を正しく修得することを目的としており、動画の教育コンテンツ（放送される動画ストリームなども含む）を視聴しながら、電子ペンを使用する教育システムについては、考慮されていなかった。【０００６】
また、従来の第二の技術においても、同様に、動画の教育コンテンツ（放送される動画ストリームなども含む）を視聴しながら、電子ペンを使用する教育システムについては、考慮されていなかった。
【課題を解決するための手段】
【０００７】
本第一の発明の情報処理システムは、第一媒体と、電子ペンと、情報出力装置と、送信装置を具備する情報処理システムであって、前記第一媒体は、前記情報出力装置で出力するコンテンツに関連する情報である関連情報を指定する領域である関連情報領域を１以上有し、前記電子ペンは、前記第一媒体に記載された情報を取得する情報取得部と、前記情報取得部が取得した情報を前記情報出力装置に送信する送信部を具備し、前記情報出力装置は、前記送信装置からコンテンツを受信するコンテンツ取得部と、前記電子ペンから情報を受信するペン情報受信部と、前記ペン情報受信部が受信した情報に基づいて、関連情報を取得する関連情報取得部と、前記コンテンツおよび前記関連情報を出力する情報出力部を具備し、前記送信装置は、コンテンツを格納しているコンテンツ格納部と、前記コンテンツを送信するコンテンツ送信部を具備する情報処理システムである。【０００８】
かかる構成により、コンテンツを視聴している際に、当該視聴しているコンテンツに関連する情報を容易に取得できる。具体的には、例えば、教育コンテンツを視聴している場合に、ユーザは、電子ペンを用いて容易に、分からない用語を調べることができる。【０００９】
また、本第二の発明の情報処理システムは、第一の発明に対して、前記第一媒体の前記関連情報を指定する領域または当該領域付近には、前記コンテンツに関連する用語が記載されており、前記関連情報は、前記用語についての説明または訳を示す情報である請求項１記載の情報処理システムである。【００１０】
かかる構成により、例えば、教育コンテンツを視聴している場合に、ユーザは、電子ペンを用いて容易に、分からない用語を調べることができる。【００１１】
また、本第三の発明の情報処理システムは、第一、第二の発明に対して、前記関連情報取得部は、前記ペン情報受信部が前記電子ペンから、前記第一媒体に記載された情報を受信した場合に、ただちに前記関連情報格納部から関連情報を取得し、前記情報出力部は、前記関連情報取得部が関連情報を取得した場合に、ただちに関連情報を出力する情報処理システムである。【００１２】
かかる構成により、例えば、教育コンテンツの視聴中に、ユーザは、電子ペンを用いて容易に、分からない用語を即座に調べることができる。【００１３】
また、本第四の発明の情報処理システムは、第一媒体と、第二媒体と、電子ペンと、情報出力装置と、送信装置を具備する情報処理システムであって、前記第一媒体は、前記情報出力装置で出力するコンテンツに関連する情報である関連情報を指定する領域である関連情報領域を１以上有し、前記第二媒体は、教育に出席をしていること示す情報を記載する領域である出席領域と、前記情報出力装置に出力するコンテンツを選択する情報である選択指示を記載する領域である選択領域と、第一の解答を記載する領域である第一解答領域と、第二の解答を記載する領域である第二解答領域を有し、前記電子ペンは、前記第一媒体または前記第二媒体に記載された情報を取得する情報取得部と、前記情報取得部が取得した情報を前記情報出力装置に送信する送信部を具備し、前記情報出力装置は、前記送信装置から教育に関するコンテンツである教育コンテンツを受信するコンテンツ取得部と、前記電子ペンから情報を受信するペン情報受信部と、前記ペン情報受信部が受信した情報の中の前記第一媒体に記載された情報に基づいて、関連情報を取得する関連情報取得部と、前記ペン情報受信部が受信した情報のうちの少なくとも一部の情報を前記送信装置に送信するペン情報送信部と、出席に関する情報である出席情報を前記送信装置から受信する授業出席情報受信部と、前記電子ペンを使用して前記第一解答領域に記載された情報であり、当該電子ペンのユーザではない第三者が記載した情報に関する情報である他人第一解答情報を前記送信装置から受信する他人第一解答情報受信部と、前記電子ペンを使用して前記第一解答領域に記載された情報であり、当該電子ペンのユーザが記載した情報に関する情報である自己第一解答情報を前記送信装置から受信する自己第一解答情報受信部と、前記電子ペンを使用して前記第二解答領域に記載された情報であり、当該電子ペンのユーザまたは／および第三者が記載した情報に関する情報である自他第二解答情報を前記送信装置から受信する第二解答情報受信部と、前記電子ペンを使用して記載された選択指示に基づいて、前記教育コンテンツまたは／および他人第一解答情報または／および自己第一解答情報または／および自他第二解答情報を出力し、かつ前記関連情報取得部が取得した関連情報を出力する情報出力部を具備し、前記送信装置は、教育コンテンツを格納している教育コンテンツ格納部と、前記教育コンテンツを送信する教育コンテンツ送信部と、前記情報出力装置から前記電子ペンを使用して前記出席領域に記載された情報を受信する出席情報受信部と、前記情報出力装置から前記電子ペンを使用して前記第一解答領域に記載された情報を受信する第一解答情報受信部と、前記情報出力装置から前記電子ペンを使用して前記第二解答領域に記載された情報を受信する第二解答情報受信部と、１以上の情報出力装置から受信した前記出席領域に記載された情報に基づいて、出席情報を構成する出席情報構成部と、１以上の情報出力装置から受信した前記第一解答領域に記載された情報に基づいて、他人第一解答情報または／および自己第一解答情報を構成する第一解答情報構成部と、１以上の情報出力装置から受信した前記第二解答領域に記載された情報に基づいて、自他第二解答情報を構成する自他第二解答情報構成部と、前記出席情報構成部が構成した出席情報を前記情報出力装置に送信する出席情報送信部と、前記第一解答情報構成部が構成した他人第一解答情報または／および自己第一解答情報を送信する第一解答情報送信部と、前記自他第二解答情報構成部が構成した自他第二解答情報を送信する自他第二解答情報送信部を具備する情報処理システムである。【００１４】
かかる構成により、効果的な教育システムを提供できる。具体的には、受講者は、教育コンテンツを視聴しながら、電子ペンでノートを記載でき、かつ他人または／および自分のノートを画面で確認することができる。また、受講者は、テストの点数なども即座に知ることができる。さらに、受講者は、教育コンテンツなどのコンテンツを視聴しながら、当該コンテンツに関連する情報である関連情報（例えば、分からない用語の意味など）を簡単に知ることができる。この機能によって、コンテンツが教育コンテンツの場合、教育効果が大幅に向上する。【００１５】
また、本第五の発明の情報処理システムは、第四の発明に対して、前記関連情報取得部は、前記ペン情報受信部が前記電子ペンから、前記第一媒体に記載された情報を受信した場合に、ただちに関連情報を取得し、前記情報出力部は、前記関連情報取得部が関連情報を取得した場合に、ただちに関連情報を出力する情報処理システムである。【００１６】
かかる構成により、ユーザは、コンテンツの視聴中に、即座にわからない用語の意味などを知ることができ、教育効果が大幅に向上する。
また、本第六の発明の情報処理システムは、第一媒体と、電子ペンと、中継装置と、番組受信装置と、送信装置を具備する情報処理システムであって、前記第一媒体は、前記番組受信装置が受信し出力する番組についての情報である番組情報が記載された番組欄とチャンネル番号が記載されたチャンネル番号欄と時間の情報が記載された時間欄を有する番組表が記載されており、前記電子ペンは、前記第一媒体に記載された情報を取得する情報取得部と、前記情報取得部が取得した情報を前記中継装置に送信する送信部を具備し、前記中継装置は、前記電子ペンから前記第一媒体に記載された情報を受信する記載情報受信部と、前記記載された情報と、前記番組受信装置に対する命令についての情報である１以上の命令信号との対応を示す変換情報を１以上格納している変換情報格納部と、前記記載情報受信部が受信した情報に対応する１以上の命令信号を、前記１以上の変換情報から取得する命令信号取得部と、前記命令信号取得部が取得した１以上の命令信号を、前記番組受信装置に送信する命令信号送信部を具備し、前記番組受信装置は、前記送信装置から番組を受信するコンテンツ受信部と、前記コンテンツ受信部が受信した番組を出力する情報出力部と、前記中継装置から１以上の命令信号を受信する命令信号受信部と、前記命令信号受信部が受信した１以上の命令信号に従って動作する動作部を具備し、前記送信装置は、番組を格納している番組格納部と、前記番組を送信する番組送信部を具備する情報処理システムである。
かかる構成により、電子ペンを用いた番組受信装置の制御ができる。
また、本第七の発明の情報処理システムは、第六の発明に対して、前記第一媒体に記載された番組表を構成する各番組欄は録画を指示するための欄である録画指示欄を有し、前記中継装置の変換情報格納部は、前記録画指示欄に対して前記電子ペンで記載された情報と、前記番組受信装置に対する録画予約の命令であり、前記録画指示欄に対応する番組欄の番組を録画予約する命令である１以上の命令信号との対応を示す変換情報を格納している情報処理システムである。
かかる構成により、媒体上の番組表に、電子ペンを用いてチェック等することにより、録画予約ができる。
また、本第八の発明の情報処理システムは、第六の発明に対して、前記中継装置の変換情報格納部は、前記番組欄に対して前記電子ペンで記載された情報と、前記番組受信装置に対する録画予約の命令であり、前記番組欄の番組を録画予約する命令である１以上の命令信号との対応を示す変換情報を格納している情報処理システムである。
かかる構成により、媒体上の番組表に、電子ペンを用いてチェック等することにより、録画予約ができる。
また、本第九の発明の情報処理システムは、第六の発明に対して、前記中継装置の変換情報格納部は、前記チャンネル番号欄に対して電子ペンで記載された情報と、前記番組受信装置に対するチャネル変更の命令である１以上の命令信号との対応を示す変換情報を格納している情報処理システムである。
かかる構成により、媒体上の番組表のチャンネル番号欄に、電子ペンを用いてチェック等することにより、チャネル変更ができる。
また、本第十の発明の情報処理システムは、第一媒体と、電子ペンと、中継装置と、番組受信装置と、送信装置を具備する情報処理システムであって、前記第一媒体は、前記番組受信装置を操作するリモコンの少なくとも一部のボタン図柄が記載されており、前記電子ペンは、前記ボタン図柄に対して記載された情報を取得する情報取得部と、前記情報取得部が取得した情報を前記中継装置に送信する送信部を具備し、前記中継装置は、前記電子ペンから前記第一媒体に記載された情報を受信する記載情報受信部と、前記記載された情報と、前記番組受信装置に対する命令についての情報である１以上の命令信号との対応を示す変換情報を１以上格納している変換情報格納部と、前記記載情報受信部が受信した情報に対応する１以上の命令信号を取得する命令信号取得部と、前記命令信号取得部が取得した１以上の命令信号を、前記番組受信装置に送信する命令信号送信部を具備し、前記番組受信装置は、前記送信装置から番組を受信するコンテンツ受信部と、前記コンテンツ受信部が受信した番組を出力する情報出力部と、前記中継装置から１以上の命令信号を受信する命令信号受信部と、前記命令信号受信部が受信した１以上の命令信号に従って動作する動作部を具備し、前記送信装置は、番組を格納している番組格納部と、前記番組を送信する番組送信部を具備する情報処理システムである。
かかる構成により、電子ペンを用いた番組受信装置の制御ができる。
また、本第十一の発明の情報処理システムは、第十の発明に対して、前記ボタン図柄は、電源のオンまたは／およびオフのボタンの図柄であり、前記動作部は、前記番組受信装置の電源をオンまたはオフにする情報処理システムである。
かかる構成により、媒体上の番組表の電源ボタン欄に、電子ペンを用いてチェック等することにより、電源をオンまたはオフにすることができる。
また、本第十二の発明の情報処理システムは、第十の発明に対して、前記ボタン図柄は、音量のアップまたはダウンのボタンの図柄であり、前記動作部は、前記番組受信装置の音量をアップまたはダウンする情報処理システムである。
かかる構成により、媒体上の番組表の音量ボタン欄に、電子ペンを用いてチェック等することにより、音量をアップまたはダウンにすることができる。
また、本第十三の発明の情報処理システムは、第六から第十二いずれかの発明に対して、前記第一媒体は、前記番組受信装置の１以上の製造メーカーに関する情報が記載されたメーカー欄がさらに記載され、前記中継装置において、前記変換情報格納部は、前記製造メーカーを識別するメーカー識別子ごとに異なる命令信号を有する変換情報を格納しており、前記記載情報受信部が受信した情報が、前記メーカー欄に対して前記電子ペンで記載された情報である場合に、当該メーカー欄に対応する製造メーカーについての情報であるメーカー識別子を蓄積するメーカー識別子蓄積部をさらに具備し、前記命令信号取得部は、前記記載情報受信部が受信した情報に対応し、前記メーカー識別子蓄積部が蓄積したメーカー識別子に対応する１以上の命令信号を取得する情報処理システムである。
かかる構成により、番組受信装置の製造メーカーに対応した番組受信装置の制御ができる。
また、本第十四の発明の情報処理システムは、第一媒体と、電子ペンと、番組受信装置と、送信装置を具備する情報処理システムであって、前記第一媒体は、前記番組受信装置が受信し出力する番組についての情報である番組情報が記載された番組欄とチャンネル番号が記載されたチャンネル番号欄と時間の情報が記載された時間欄を有する番組表が記載されており、前記電子ペンは、前記第一媒体に記載された情報を取得する情報取得部と、前記記載された情報と、前記番組受信装置に対する命令についての情報である１以上の命令信号との対応を示す変換情報を１以上格納している変換情報格納部と、前記情報取得部が取得した情報に対応する１以上の命令信号を、前記１以上の変換情報から取得する命令信号取得部と、前記命令信号取得部が取得した１以上の命令信号を、前記番組受信装置に送信する命令信号送信部を具備し、前記番組受信装置は、前記送信装置から番組を受信するコンテンツ受信部と、前記コンテンツ受信部が受信した番組を出力する情報出力部と、前記電子ペンから１以上の命令信号を受信する命令信号受信部と、前記命令信号受信部が受信した１以上の命令信号に従って動作する動作部を具備し、前記送信装置は、番組を格納している番組格納部と、前記番組を送信する番組送信部を具備する情報処理システムである。
かかる構成により、電子ペンを用いて番組受信装置を制御できる。
また、本第十五の発明の情報処理システムは、第一媒体と、電子ペンと、番組受信装置と、送信装置を具備する情報処理システムであって、前記第一媒体は、前記番組受信装置を操作するリモコンの少なくとも一部のボタン図柄が記載されており、前記電子ペンは、前記ボタン図柄に対して記載された情報を取得する情報取得部と、前記記載された情報と、前記番組受信装置に対する命令についての情報である１以上の命令信号との対応を示す変換情報を１以上格納している変換情報格納部と、前記情報取得部が取得した情報に対応する１以上の命令信号を取得する命令信号取得部と、前記命令信号取得部が取得した１以上の命令信号を、前記番組受信装置に送信する命令信号送信部を具備し、前記番組受信装置は、前記送信装置から番組を受信するコンテンツ受信部と、前記コンテンツ受信部が受信した番組を出力する情報出力部と、前記電子ペンから１以上の命令信号を受信する命令信号受信部と、前記命令信号受信部が受信した１以上の命令信号に従って動作する動作部を具備し、前記送信装置は、番組を格納している番組格納部と、前記番組を送信する番組送信部を具備する情報処理システムである。
かかる構成により、電子ペンを用いて番組受信装置を制御できる。
また、本第十六の発明の情報処理システムは、第一媒体と、電子ペンと、番組受信装置と、送信装置を具備する情報処理システムであって、前記第一媒体は、前記番組受信装置が受信し出力する番組についての情報である番組情報が記載された番組欄とチャンネル番号が記載されたチャンネル番号欄と時間の情報が記載された時間欄を有する番組表が記載されており、前記電子ペンは、前記第一媒体に記載された情報を取得する情報取得部と、前記情報取得部が取得した情報を前記番組受信装置に送信する送信部を具備し、前記番組受信装置は、前記送信装置から番組を受信するコンテンツ受信部と、前記コンテンツ受信部が受信した番組を出力する情報出力部と、前記電子ペンから前記第一媒体に記載された情報を受信する記載情報受信部と、前記記載された情報と、前記番組受信装置に対する命令についての情報である１以上の命令信号との対応を示す変換情報を１以上格納している変換情報格納部と、前記記載情報受信部が受信した情報に対応する１以上の命令信号を、前記１以上の変換情報から取得する命令信号取得部と、前記命令信号取得部が取得した１以上の命令信号に従って動作する動作部を具備し、前記送信装置は、番組を格納している番組格納部と、前記番組を送信する番組送信部を具備する情報処理システムである。
かかる構成により、電子ペンを用いて番組受信装置を制御できる。
また、本第十七の発明の情報処理システムは、第一媒体と、電子ペンと、番組受信装置と、送信装置を具備する情報処理システムであって、前記第一媒体は、前記番組受信装置を操作するリモコンの少なくとも一部のボタン図柄が記載されており、前記電子ペンは、前記ボタン図柄に対して記載された情報を取得する情報取得部と、前記情報取得部が取得した情報を前記中継装置に送信する送信部を具備し、前記番組受信装置は、前記送信装置から番組を受信するコンテンツ受信部と、前記コンテンツ受信部が受信した番組を出力する情報出力部と、前記電子ペンから前記第一媒体に記載された情報を受信する記載情報受信部と、前記記載された情報と、前記番組受信装置に対する命令についての情報である１以上の命令信号との対応を示す変換情報を１以上格納している変換情報格納部と、前記記載情報受信部が受信した情報に対応する１以上の命令信号を取得する命令信号取得部と、前記命令信号取得部が取得した１以上の命令信号に従って動作する動作部を具備し、前記送信装置は、番組を格納している番組格納部と、前記番組を送信する番組送信部を具備する情報処理システムである。
かかる構成により、電子ペンを用いて番組受信装置を制御できる。
【発明の効果】
【００１７】
本発明による情報処理システムによれば、コンテンツを視聴している際に、電子ペンを用いて当該視聴しているコンテンツに関連する情報を容易に取得できる。
【発明を実施するための最良の形態】
【００１８】
以下、情報処理システム等の実施形態について図面を参照して説明する。なお、実施の形態において同じ符号を付した構成要素は同様の動作を行うので、再度の説明を省略する場合がある。
（実施の形態１）【００１９】
図１は、本実施の形態における情報処理システムの概念図である。情報処理システムは、第一媒体１１、電子ペン１２、情報出力装置１３、送信装置１４を具備する。第一媒体１１は、情報出力装置１３で出力するコンテンツに関連する情報である関連情報を指定する領域である関連情報領域１１０１を１以上有する。通常、コンテンツは、教育に関するコンテンツである教育コンテンツであるが、他のコンテンツ、例えば、娯楽やスポーツ等の番組などでも良い。また、本情報処理システムは、動画のコンテンツを視聴する場合に、特に有効であるが、静止画のみ、または音声のみ等のコンテンツを視聴する場合に用いられても良い。第一媒体１１は、例えば、コンテンツに関連する用語を集めたノート（ここでは、「単語辞書ノート」という。）である。なお、教育コンテンツとは、音声を含む動画ストリームであることが好適であるが、音声を含む動画コンテンツや、音声を含まない動画や、静止画の集合等でも良い。【００２０】
情報出力装置１３は、ユーザがコンテンツを視聴するために用いるパソコンやテレビや携帯端末等である。【００２１】
送信装置１４は、コンテンツを送信する装置である。送信装置１４は、例えば、放送局の放送装置や、コンテンツを配信するサーバ装置などである。【００２２】
本情報処理システムを利用するユーザは、通常、動画および音声を有するコンテンツを視聴しならが、当該コンテンツに関して分からない用語等がある場合に、電子ペン１２で第一媒体１１の関連情報領域１１０１をチェックする。すると、以下に説明する動作により、情報出力装置１３に関連情報（例えば、用語の説明など）が表示される。【００２３】
図２は、本実施の形態における情報処理システムのブロック図である。情報処理システムは、第一媒体１１と、電子ペン１２と、情報出力装置１３と、送信装置１４を具備する。なお、図２のブロック図において、第一媒体１１は省略している。【００２４】
第一媒体１１は、関連情報領域１１０１を１以上有する。第一媒体１１は、例えば、特殊ドットパターンが印刷されている媒体である。また、第一媒体１１は、通常、紙で出来ているが、電子ペンで文字等を記述でき、例えば、特殊ドットパターンが印刷されていれば、プラスチック等、その材質は何でも良い。【００２５】
電子ペン１２は、情報取得部１２０１、送信部１２０２を具備する。【００２６】
情報出力装置１３は、コンテンツ取得部１３０１、関連情報格納部１３０２、ペン情報受信部１３０３、関連情報取得部１３０４、情報出力部１３０５を具備する。【００２７】
送信装置１４は、コンテンツ格納部１４０１、コンテンツ送信部１４０２を具備する。【００２８】
関連情報領域１１０１は、情報出力装置１３で出力するコンテンツに関連する情報である関連情報を指定する領域である。例えば、関連情報領域１１０１または当該関連情報領域１１０１付近には、コンテンツに関連する用語が記載されている。例えば、関連情報領域１１０１の真横に、コンテンツで登場する用語が記載さている。かかる場合、例えば、関連情報は、当該用語についての説明または訳を示す情報である。ただし、関連情報は、用語説明や訳に限らず、コンテンツの一部の情報をさらに詳細に説明する情報など、コンテンツに関連する情報であれば良い。【００２９】
情報取得部１２０１は、第一媒体１１に記載された情報を取得する。当該情報は、例えば、第一媒体１１の中の相対的な位置を特定する情報である座標情報（以下、適宜「位置情報」という。）を１以上有する。情報取得部１２０１が座標情報を取得する方法について説明する。座標情報を取得する方法として、例えば、以下の方法がある。第一媒体１１に図３に示す特殊ドットパターンが印刷されている場合に、情報取得部１２０１は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、情報取得部１２０１の別の手段として、以下のものが考えられる。第一媒体１１の表面に、座標情報を示すバーコードが印刷されており、情報取得部１２０１は、当該バーコードを読み込み、座標情報を得るバーコードリーダーで実現される。【００３０】
送信部１２０２は、情報取得部１２０１が取得した情報を情報出力装置１３に送信する。なお、情報取得部１２０１が取得した情報と送信部１２０２が送信する情報は、一致しなくても良い。送信部１２０２は、情報取得部１２０１が取得した情報に基づいて加工された情報を送信しても良い。かかる場合も、送信部１２０２は、情報取得部１２０１が取得した情報を情報出力装置１３に送信する、ということとする。さらに、送信部１２０２は、予め格納されている受講者ＩＤ（受講者を識別する情報であり、かつ電子ペン１２を特定する情報である。）を付加して、情報を情報出力装置１３に送信する。送信部１２０２は、通常、ブルートゥース（登録商標）などの近距離無線通信手段で実現されるが、他の無線手段や有線の通信手段や放送手段でも実現可能である。【００３１】
コンテンツ取得部１３０１は、送信装置１４からコンテンツを受信する。コンテンツは、通常、動画と音声を含むが、静止画等の情報でも良い。コンテンツは、例えば、何らかの教育のために使用される教育コンテンツである。コンテンツ取得部１３０１は、放送手段、または、無線や有線の通信手段等で実現される。なお、コンテンツ取得部１３０１は、教育コンテンツを図示しない記録媒体から読み出しても良い。かかる場合、送信装置１４から教育コンテンツを受信しない。つまり、コンテンツ取得部１３０１は、コンテンツを取得する。ここで、取得とは、受信や、記録媒体からの読み出しである。【００３２】
関連情報格納部１３０２は、コンテンツに関連する情報である関連情報を１以上格納している。関連情報格納部１３０２は、例えば、座標情報と関連情報の対を１組以上有する。この座標情報は、第一媒体１１上の関連情報領域１１０１に対応する座標情報であり、例えば、関連情報領域１１０１の左上座標（ｘ１，ｙ１）、右下座標（ｘ２，ｙ２）を有する。関連情報格納部１３０２は、ハードディスク等の不揮発性の記録媒体が好適であるが、揮発性の記録媒体でも実現可能である。なお、関連情報格納部１３０２の関連情報は、外部装置（関連情報を格納しているＤＢを具備する装置）から受信した情報であっても良い。また、情報出力装置１３は、ユーザの電子ペン１２による関連情報領域１１０１のチェックの情報を受信する毎に、かかる関連情報を外部装置から受信するようにしても良い。また、関連情報は、送信装置１４からコンテンツとともに送信された情報であっても良い。かかる場合、関連情報は、コンテンツに関連付けられて、送信装置１４から送信される。例えば、コンテンツと関連情報が重畳されて、送信装置１４から送信される。【００３３】
ペン情報受信部１３０３は、電子ペン１２から情報を受信する。かかる情報は、例えば、電子ペンの第一媒体１１上を移動した軌跡の情報である。軌跡の情報は、座標情報の集合である。ペン情報受信部１３０３は、通常、ブルートゥース（登録商標）などの近距離無線通信手段で実現されるが、他の無線手段や有線の通信手段や放送を受信する手段でも実現可能である。【００３４】
関連情報取得部１３０４は、ペン情報受信部１３０３が受信した情報に基づいて、関連情報格納部１３０２から関連情報を取得する。なお、関連情報取得部１３０４は、ペン情報受信部１３０３が電子ペン１２から、第一媒体１１に記載された情報を受信した場合に、ただちに関連情報格納部１３０２、または外部装置から関連情報を取得することが好適である。関連情報取得部１３０４は、通常、ＭＰＵやメモリ等から実現され得る。関連情報取得部１３０４の処理手順は、通常、ソフトウェアで実現され、当該ソフトウェアはＲＯＭ等の記録媒体に記録されている。但し、ハードウェア（専用回路）で実現しても良い。【００３５】
情報出力部１３０５は、コンテンツ取得部１３０１が受信したコンテンツおよび関連情報取得部１３０４が取得した関連情報を出力する。出力とは、ディスプレイへの表示、プリンタへの印字、音出力、外部の装置への送信、記録媒体への蓄積等を含む概念である。情報出力部１３０５は、コンテンツおよび関連情報を同時に出力しても良いし、切り換えて出力しても良い。ただし、情報出力部１３０５は、コンテンツと関連情報を同時に出力し、かつコンテンツの視聴を妨げないように、関連情報を、例えば、画面の右下に表示することは好適である。情報出力部１３０５は、関連情報を出力した場合に、所定の時間経過後に、自動的に関連情報の表示を停止する（未表示にする）ことが好適である。所定の時間は、関連情報毎に異なっていても良いし、全関連情報において同一でも良い。所定の時間が関連情報毎に異なっている場合、例えば、関連情報格納部１３０２が、関連情報と対に表示時間も保持している。また、情報出力部１３０５は、関連情報のデータ量に応じて、表示時間を決定しても良い。【００３６】
コンテンツ格納部１４０１は、コンテンツを格納している。コンテンツ格納部１４０１は、ハードディスク等の不揮発性の記録媒体が好適であるが、揮発性の記録媒体でも実現可能である。【００３７】
コンテンツ送信部１４０２は、コンテンツ格納部１４０１のコンテンツを送信する。コンテンツを送信するタイミングは、ユーザ指示でも良いし、予め決められているスケジュール（番組表によるスケジュール）に従ったものでも良い。コンテンツの送信は、通常、マルチキャストであるが、オンデマンド等でも良い。また、コンテンツの送信は、放送（地上波アナログ放送、地上波デジタル放送、衛星放送、ＣＡＴＶなどの放送を含む。）や、インターネット等の通信網を使用した配信、その他の専用回線を利用した配信等、何でも良い。つまり、その送信手段は問わない。コンテンツ送信部１４０２は、無線または有線の通信手段や、放送手段で実現され得る。【００３８】
以下、本情報処理システムの動作について説明する。まず、電子ペン１２の動作について説明する。【００３９】
電子ペン１２において、情報取得部１２０１が座標情報を次々と取得し、送信部１２０２は、情報取得部１２０１が取得した情報を情報出力装置１３に送信する。情報取得部１２０１が取得する座標情報は、電子ペン１２が第一媒体１１上を移動した軌跡を示す情報である。また、情報取得部１２０１は、取得した複数の座標情報を蓄えておき、送信部１２０２は、蓄えられた複数の座標情報を一度に情報出力装置１３に送信しても良い。【００４０】
次に、情報出力装置１３の動作について、図４、図５のフローチャートを用いて説明する。【００４１】
（ステップＳ４０１）コンテンツ取得部１３０１は、送信装置１４からコンテンツを受信したか否かを判断する。コンテンツを受信すればステップＳ４０２に行き、コンテンツを受信しなければステップＳ４０１に戻る。【００４２】
（ステップＳ４０２）情報出力部１３０５は、ステップＳ４０１で受信したコンテンツを出力する。【００４３】
（ステップＳ４０３）ペン情報受信部１３０３は、電子ペン１２から情報を受信したか否かを判断する。電子ペン１２から情報を受信すればステップＳ４０４に行き、電子ペン１２から情報を受信しなければステップＳ４０１に戻る。【００４４】
（ステップＳ４０４）関連情報取得部１３０４は、ステップＳ４０３で受信した情報に基づいて、関連情報格納部１３０２から関連情報を取得する。関連情報を取得するアルゴリズムの例については、図５のフローチャートを用いて説明する。【００４５】
（ステップＳ４０５）情報出力部１３０５は、ステップＳ４０４で取得した関連情報を出力する。ステップＳ４０１に戻る。【００４６】
なお、図４のフローチャートにおいて、電源オフや処理終了の割り込みにより処理は終了する。【００４７】
次に、関連情報取得処理の動作について図５のフローチャートを用いて説明する。【００４８】
（ステップＳ５０１）関連情報取得部１３０４は、カウンタｉに１を代入する。【００４９】
（ステップＳ５０２）関連情報取得部１３０４は、関連情報格納部１３０２にｉ番目の関連情報が存在するか否かを判断する。ｉ番目の関連情報が存在すればステップＳ５０３に行き、ｉ番目の関連情報が存在しなければ上位関数にリターンする。【００５０】
（ステップＳ５０３）関連情報取得部１３０４は、ｉ番目の関連情報に対応する座標情報（（ｘ１，ｙ１），（ｘ２，ｙ２））を関連情報格納部１３０２から取得する。なお、ここでは、関連情報格納部１３０２は、座標情報と関連情報の対を１組以上有する、とする。また、（ｘ１，ｙ１）は矩形である関連情報領域１１０１の左上の座標値、（ｘ２，ｙ２）は矩形である関連情報領域１１０１の右下の座標値である。【００５１】
（ステップＳ５０４）関連情報取得部１３０４は、ペン情報受信部１３０３が受信した情報の中の所定の点（座標（ｘ，ｙ））の情報を取得する。ここでは、ペン情報受信部１３０３が受信した情報は、複数の座標情報を有する座標情報群であるとする。所定の点は、座標情報群（例えば、５０の座標情報が存在する場合）の中の真中の点（例えば、２５番目の点）であっても良い。また、関連情報取得部１３０４は、座標情報群の全点の中のＸｍｉｎ（全点の中のＸ座標の最小値）、Ｘｍａｘ（全点の中のＸ座標の最大値）、Ｙｍｉｎ（全点の中のＹ座標の最小値）、Ｙｍａｘ（全点の中のＹ座標の最大値）を取得し、（（Ｘｍｉｎ＋Ｘｍａｘ）／２，（Ｙｍｉｎ＋Ｙｍａｘ）／２）を所定の点としても良い。【００５２】
（ステップＳ５０５）関連情報取得部１３０４は、ステップＳ５０４で取得した所定の点の座標（ｘ，ｙ）が、関連情報領域１１０１（（ｘ１，ｙ１），（ｘ２，ｙ２））に含まれるか否かを判断する。所定の点が関連情報領域に含まれる場合はステップＳ５０６に行き、所定の点が関連情報領域に含まれない場合ステップはＳ５０７に飛ぶ。【００５３】
（ステップＳ５０６）関連情報取得部１３０４は、関連情報格納部１３０２からｉ番目の関連情報を取得する。上位関数にリターンする。【００５４】
（ステップＳ５０７）関連情報取得部１３０４は、カウンタｉを１、インクリメントする。ステップＳ５０２に戻る。【００５５】
なお、関連情報取得処理の動作は、図５のフローチャートにおける動作に限らない。【００５６】
次に、送信装置１４の動作について説明する。送信装置１４のコンテンツ送信部１４０２は、コンテンツを送信するタイミングになった場合に、コンテンツ格納部１４０１からコンテンツを取得し、配信する。コンテンツ送信部１４０２は、例えば、ストリームを配信する。【００５７】
以下、本実施の形態における情報処理システムの具体的な動作について説明する。情報処理システムの概念図は図１である。ここで、送信装置１４から配信されるコンテンツは、経営に関する教育コンテンツである。【００５８】
図６は、第一媒体１１の例である。第一媒体１１は、経営に関する教育コンテンツを用いて説明される用語が記載された単語辞書ノートである。ユーザは、経営に関する教育コンテンツを視聴しながら、例えば、分からない用語がある場合に、当該用語に対応する関連情報領域１１０１を、電子ペン１２でチェックする。すると、情報出力装置１３に、当該チェックした用語に対応する関連情報（用語の意味）が表示される。ユーザが、以上のサービスを享受するための情報処理システムの動作について、以下に、具体的に説明する。【００５９】
図７は、関連情報格納部１３０２の関連情報管理表である。関連情報管理表は、「ＩＤ」「座標情報」「関連情報」を有するレコードを１以上管理している。「ＩＤ」は、レコードを識別する情報であり、表におけるレコード管理のために存在する。「座標情報」は、電子ペン１２でチェックされた関連情報領域１１０１を特定するための座標の情報である。「座標情報」は、関連情報領域１１０１の左上座標、右下座標を有する。「関連情報」は、教育コンテンツで登場する用語の説明が記載されている。なお、第一媒体１１において、関連情報に対応する用語が関連情報領域１１０１の左側に印刷されている。【００６０】
かかる場合、例えば、図示しない手段によるユーザの指示により、情報出力装置１３は、コンテンツを受信し、出力している、とする（図８参照）。【００６１】
かかる場合、ユーザが、電子ペン１２で、図６の単語辞書ノートの「ＩＳＯ１４０００」に対応する関連情報領域１１０２をチェックした、とする（図９参照）。次に、電子ペン１２は、電子ペン１２が通過した軌跡を示す座標情報群を取得する。そして、電子ペン１２は、図示しない手段により保持している電子ペン識別子（上記の受講者ＩＤと同じである。）を読み出す。この電子ペン識別子は電子ペンを識別する情報である。次に、電子ペン１２は、電子ペン識別子と電子ペン１２が通過した軌跡を示す座標情報群に基づいて、図１０に示すような情報を構成する。そして、電子ペン１２は、図１０の情報を情報出力装置１３に送信する。電子ペン１２が図１０の情報を送信するトリガーは、通常、ユーザの指示によるが、電子ペン１２がチェックの完了を検知し、情報を送信しても良い。なお、ユーザの指示は、例えば、電子ペン１２の図示しないボタンの押下による。また、図１０において、必ずしも電子ペン識別子は存在しなくても良い。【００６２】
次に、情報出力装置１３は、コンテンツを出力中に、電子ペン１２から図１０の情報を取得する。【００６３】
そして、情報出力装置１３の関連情報取得部１３０４は、関連情報格納部１３０２から１番目の座標情報「（１００，５０）、（１３０，７０）」を読み出す。次に、関連情報取得部１３０４は、図１０の座標情報群からＸｍｉｎ（全点の中のＸ座標の最小値）、Ｘｍａｘ（全点の中のＸ座標の最大値）、Ｙｍｉｎ（全点の中のＹ座標の最小値）、Ｙｍａｘ（全点の中のＹ座標の最大値）を取得する、とする。ここで「Ｘｍｉｎ＝１０３、Ｘｍａｘ＝１２９、Ｙｍｉｎ＝７２、Ｙｍａｘ＝８８」であった、とする。そして、関連情報取得部１３０４は、（（Ｘｍｉｎ＋Ｘｍａｘ）／２，（Ｙｍｉｎ＋Ｙｍａｘ）／２）を計算し、（１１６，８０）を得る。そして、関連情報取得部１３０４は、点（１１６，８０）が、１番目の座標情報「（１００，５０）、（１３０，７０）」が示す関連情報領域に含まれるか否かを判断する。ここで、点（１１６，８０）が、１番目の座標情報「（１００，５０）、（１３０，７０）」が示す関連情報領域に含まれないので、関連情報取得部１３０４は、２番目の座標情報「（１００，７０）、（１３０，９０）」を読み出す。次に、関連情報取得部１３０４は、点（１１６，８０）が、２番目の座標情報「（１００，７０）、（１３０，９０）」が示す関連情報領域に含まれるか否かを判断する。ここで、点（１１６，８０）が、２番目の座標情報「（１００，７０）、（１３０，９０）」が示す関連情報領域に含まれるので、関連情報取得部１３０４は、２番目の関連情報「ＩＳＯ１４０００とは：  ...．」を関連情報格納部１３０２から取得する。次に、情報出力部１３０５は、２番目の関連情報「ＩＳＯ１４０００とは：  ...．」を出力する。図１１は、関連情報の出力例である。図１１において、関連情報は、コンテンツにオーバーラップして小さく出力されている。なお、関連情報の出力態様は、図１１に限定されないことは言うまでもない。関連情報の出力の際に、コンテンツの映像の出力を停止しても良いし（かかる場合、音声のみ出力されている）、コンテンツのウィンドウを小さくし、コンテンツのウィンドウの横の別ウィンドウに関連情報を表示しても良い（図１２参照）。関連情報の出力は、通常、表示であるが、音声出力によっても良い。【００６４】
以上、本実施の形態によれば、ユーザは、教育コンテンツなどのコンテンツを視聴しながら、当該コンテンツに関連する情報である関連情報（例えば、分からない用語の意味など）を簡単に知ることができる。この機能によって、コンテンツが教育コンテンツの場合、教育効果が大幅に向上する。【００６５】
なお、本実施の形態によれば、コンテンツが主として教育コンテンツであったが、教育コンテンツに限らないことは言うまでもない。かかることは、他の実施の形態においても同様である。【００６６】
また、本実施の形態の具体例における第一媒体は単語辞書ノートであり、関連情報はコンテンツに登場する用語の意味情報であったが、他のものでも良い。例えば、第一媒体は番組表であり、関連情報は番組の補助説明や番組の出演者の情報などでも良い。また、例えば、コンテンツが放送されている番組であり、第一媒体は番組の出演者などの情報が印刷され、関連情報は出演者の情報などでも良い。本実施の形態において、コンテンツを受信するコンテンツ取得ステップと、前記コンテンツを出力するステップと、前記コンテンツの出力中に、電子ペンを用いて媒体に記載された情報に基づいて取得された関連情報を出力するステップを具備する情報出力方法をユーザに提供できれば良い。かかることも、他の実施の形態においても同様である。【００６７】
また、本実施の形態によれば、関連情報取得部は、関連情報格納部から関連情報を取得したが、外部装置から関連情報を取得する構成でも良い。つまり、情報出力装置は、コンテンツを受信するコンテンツ取得部と、前記電子ペンから情報を受信するペン情報受信部と、前記ペン情報受信部が受信した情報に基づく関連情報を取得する関連情報取得部と、前記コンテンツおよび前記関連情報を出力する情報出力部を具備する情報出力装置であれば良い。かかることも、他の実施の形態においても同様である。そして、情報出力装置で以下の情報出力方法が実現できれば良い。つまり、コンテンツを受信するコンテンツ取得ステップと、前記コンテンツを出力するステップと、前記コンテンツの出力中に、電子ペンを用いて媒体に記載された情報に基づいて取得された関連情報を出力するステップを具備する情報出力方法である。【００６８】
また、本実施の形態によれば、第一媒体１１の関連情報領域１１０１をチェックとは、電子ペン１２で第一媒体１１上に、何らかの図形等を、残るかたちで記載する必要は必ずしもない。電子ペン１２がほぼ第一媒体１１上を移動するだけでも良い。また、チェックとは、レやマル等、種々の図形や文字などを記載することを含む。なお、電子ペン１２で第一媒体１１上に記載したチェック等が残れば、ユーザは、知らなかった用語（チェックした用語）が、第一媒体１１を見るだけで直ちに分かり、学習効果が向上する。【００６９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報出力装置を実現するソフトウェアは、以下のようなプログラムである。つまり、このプログラムは、コンピュータに、コンテンツを取得するコンテンツ取得ステップと、前記コンテンツを出力するステップと、前記コンテンツの出力中に、電子ペンを用いて媒体に記載された情報に基づいて取得された関連情報を出力するステップを実行させるためのプログラム、である。また、前記関連情報を出力した後、所定の時間経過後に自動的に前記関連情報を未表示とするステップをさらに実行させるためのプログラムも好適である。
（実施の形態２）【００７０】
本実施の形態において、コンテンツを視聴しながら、ノートを記載したり、テストを行なったりし、かつ、分からない用語などを簡単に調べることができるシステムについて説明する。【００７１】
図１３は、本実施の形態における情報処理システムの概念図である。情報処理システムは、第一媒体１１、第二媒体１３１、電子ペン１２、情報出力装置１３３、送信装置１３４を具備する。【００７２】
本情報処理システムを利用するユーザは、通常、動画および音声を有する教育コンテンツを視聴し、電子ペン１２で第二媒体１３１をノートとして、ユーザが教育コンテンツを視聴した内容を記載しながら、または／およびテストの解答を記載する。また、ユーザは、教育コンテンツを視聴しながら、第一媒体１１を電子ペン１２でチェックすることにより、必要な関連情報を得ることができる。また、ユーザは、教育コンテンツを視聴しながら、画面で自分のノートや他人のノートを見ることができる。【００７３】
第二媒体１３１は、第一媒体１１と同様、特殊ドットパターンが印刷されている媒体である。また、第二媒体１３１は、授業に出席をしている（教育コンテンツを視聴している）こと示す情報を記載する領域である出席領域１３１０１と、情報出力装置１３３に出力するコンテンツを選択する情報である選択指示を記載する領域である選択領域１３１０２と、第一の解答を記載する領域である第一解答領域１３１０３と、第二の解答を記載する領域である第二解答領域１３１０４を有する。また、第二媒体１３１は、通常、紙で出来ているが、電子ペンで文字等を記述でき、特殊ドットパターンが印刷されていれば、プラスチック等、その材質は何でも良い。【００７４】
図１４は、本実施の形態における情報処理システムのブロック図である。情報出力装置１３３は、コンテンツ取得部１３０１、関連情報格納部１３０２、ペン情報受信部１３０３、関連情報取得部１３０４、情報出力部１３３０６、ペン情報送信部１３３０１、授業出席情報受信部１３３０２、他人第一解答情報受信部１３３０３、自己第一解答情報受信部１３３０４、第二解答情報受信部１３３０５を具備する。【００７５】
送信装置１３４は、コンテンツ格納部１４０１、コンテンツ送信部１４０２、出席情報受信部１３４０３、第一解答情報受信部１３４０４、第二解答情報受信部１３４０５、出席情報構成部１３４０６、第一解答情報構成部１３４０７、自他第二解答情報構成部１３４０８、出席情報送信部１３４０９、第一解答情報送信部１３４１０、自他第二解答情報送信部１３４１１を具備する。【００７６】
ペン情報送信部１３３０１は、ペン情報受信部１３０３が受信した情報のうちの少なくとも一部の情報を送信装置１４に送信する。なお、ペン情報受信部１３０３が受信した情報と、ペン情報送信部１３３０１が送信する情報の構造は一致する必要は必ずしもない。ペン情報送信部１３３０１は、通常、無線または有線の通信手段で実現されるが、放送手段で実現されても良い。【００７７】
授業出席情報受信部１３３０２は、出席に関する情報である出席情報を送信装置１３４から受信する。なお、出席情報は、電子ペン１２により、第二媒体１３１の出席領域１３１０１に記載された情報に基づく情報である。出席情報は、例えば、教育コンテンツを視聴する（講義に参加する）者の人数である。また、出席情報は、例えば、教育コンテンツを視聴する者の氏名や、受講者ＩＤ等である。授業出席情報受信部１３３０２は、通常、無線または有線の通信手段で実現されるが、放送を受信する手段で実現されても良い。受講者ＩＤとは、受講者を特定するＩＤであり、かつ、電子ペン１２を特定する電子ペン識別子でもある。受講者ＩＤは、通常、電子ペン１２が保持している。電子ペン１２は、情報を送信する場合に、受講者ＩＤを付加して送信する。【００７８】
他人第一解答情報受信部１３３０３は、電子ペン１２を使用して第一解答領域１３１０３に記載された情報であり、当該電子ペン１２のユーザではない第三者が記載した情報に関する情報である他人第一解答情報を送信装置１３４から受信する。他人第一解答情報とは、例えば、他人のノートの記載情報（他人のノートの情報）である。かかる場合、第一解答領域１３１０３は、ノートの領域である。また、他人第一解答情報とは、例えば、他人のテストの解答の情報である。かかる場合、第一解答領域１３１０３は、テストの領域である。他人第一解答情報受信部１３３０３は、通常、無線または有線の通信手段で実現されるが、放送を受信する手段で実現されても良い。【００７９】
自己第一解答情報受信部１３３０４は、電子ペン１２を使用して第一解答領域１３１０３に記載された情報であり、当該電子ペン１２のユーザが記載した情報に関する情報である自己第一解答情報を送信装置１３４から受信する。自己第一解答情報受信部１３３０４は、通常、無線または有線の通信手段で実現されるが、放送を受信する手段で実現されても良い。【００８０】
第二解答情報受信部１３３０５は、電子ペン１２を使用して第二解答領域１３１０４に記載された情報であり、当該電子ペン１２のユーザまたは／および第三者が記載した情報に関する情報である自他第二解答情報を送信装置１３４から受信する。自他第二解答情報は、例えば、自分のテストの点数や偏差値である。自他第二解答情報は、例えば、授業の参加者のテストの平均点である。【００８１】
なお、授業出席情報受信部１３３０２、他人第一解答情報受信部１３３０３、自己第一解答情報受信部１３３０４、第二解答情報受信部１３３０５等は、通常、一の受信手段で実現される。また、授業出席情報受信部１３３０２、他人第一解答情報受信部１３３０３、自己第一解答情報受信部１３３０４、第二解答情報受信部１３３０５等は、それぞれ、受信した情報が、出席情報であるか、自己第一解答情報であるか等、対応する情報であるかを判断するものでも良い。【００８２】
情報出力部１３３０６は、電子ペン１２を使用して記載された選択指示に基づいて、教育コンテンツまたは／および他人第一解答情報または／および自己第一解答情報または／および自他第二解答情報を出力し、かつ関連情報取得部１３０４が取得した関連情報を出力する。情報出力部１３３０６は、通常、関連情報取得部１３０４が関連情報を取得した場合に、ただちに関連情報を出力する。また、関連情報取得部１３０４は、ペン情報受信部１３０３が電子ペン１２から、第一媒体１１に記載された情報を受信した場合に、ただちに関連情報を取得する。情報出力部１３３０６は、選択指示に基づいて、出力するコンテンツを切り換えても良いし、出力するウィンドウの大きさを変えても良いし、表示する際のウィンドウの枠の色や配置を変えても良い。つまり、情報出力部１３３０６は、電子ペン１２を使用して記載された選択指示に基づいて、上記のコンテンツの出力態様を変更する。また、情報出力部１３３０６は、教育コンテンツまたは／および他人第一解答情報または／および自己第一解答情報または／および自他第二解答情報を、決められたウィンドウに、固定的に出力しても良い。ここで、出力とは、通常、ディスプレイへの表示、音出力であるが、プリンタへの印字、外部の装置への送信、記録媒体への蓄積等を含む概念である。情報出力部１３３０６は、ディスプレイやスピーカー等の出力デバイスを含むと考えても含まないと考えても良い。情報出力部１３３０６は、出力デバイスのドライバーソフトまたは、出力デバイスのドライバーソフトと出力デバイス等で実現され得る。なお、情報出力部１３３０６は、関連情報を出力した後、所定の時間経過後に自動的に前記関連情報を未表示とすることが好適である。ユーザは、所定の時間で、調べたかった用語の意味等が理解でき、その時間経過後は、関連情報の出力は、教育コンテンツの視聴の妨げになる場合もあるからである。【００８３】
出席情報受信部１３４０３は、電子ペン１２を使用して出席領域１３１０１に記載された情報を情報出力装置１３３から受信する。出席情報受信部１３４０３は、電子ペン１２を識別する電子ペン識別子（電子ペン識別子は「受講者ＩＤ」と同じ。）を受信しても良い。出席情報受信部１３４０３が電子ペン識別子を受信することにより、出席者が特定され得る。また、出席領域１３１０１に記載された情報は、例えば、座標情報の集合である。出席情報受信部１３４０３は、通常、無線または有線の通信手段で実現されるが、放送を受信する手段で実現されても良い。【００８４】
第一解答情報受信部１３４０４は、電子ペン１２を使用して第一解答領域１３１０３に記載された情報を情報出力装置１３３から受信する。第一解答領域１３１０３に記載された情報は、例えば、座標情報の集合である。第一解答情報受信部１３４０４は、通常、無線または有線の通信手段で実現されるが、放送を受信する手段で実現されても良い。【００８５】
第二解答情報受信部１３４０５は、電子ペン１２を使用して第二解答領域１３１０４に記載された情報を情報出力装置１３３から受信する。第二解答領域１３１０４に記載された情報は、例えば、座標情報の集合である。第二解答情報受信部１３４０５は、通常、無線または有線の通信手段で実現されるが、放送を受信する手段で実現されても良い。【００８６】
なお、出席情報受信部１３４０３、第一解答情報受信部１３４０４、および第二解答情報受信部１３４０５は、通常、一の受信手段で実現される。さらに、出席情報受信部１３４０３、第一解答情報受信部１３４０４、および第二解答情報受信部１３４０５は、それぞれ、受信した情報が出席領域１３１０１、第一解答領域１３１０３、第二解答領域１３１０４に記載された情報であるか否かを判断する処理を行っても良い。【００８７】
出席情報構成部１３４０６は、１以上の情報出力装置１３３から受信した出席領域１３１０１に記載された情報に基づいて、出席情報を構成する。出席情報とは、出席している受講者を識別する受講者ＩＤの集合や、出席者数など、出席に関する情報である。出席情報構成部１３４０６は、通常、ＭＰＵやメモリ等から実現され得る。出席情報構成部１３４０６の処理手順は、通常、ソフトウェアで実現され、当該ソフトウェアはＲＯＭ等の記録媒体に記録されている。但し、ハードウェア（専用回路）で実現しても良い。【００８８】
第一解答情報構成部１３４０７は、１以上の情報出力装置１３３から受信した第一解答領域１３１０３に記載された情報に基づいて、他人第一解答情報または／および自己第一解答情報を構成する。第一解答情報構成部１３４０７は、通常、ＭＰＵやメモリ等から実現され得る。第一解答情報構成部１３４０７の処理手順は、通常、ソフトウェアで実現され、当該ソフトウェアはＲＯＭ等の記録媒体に記録されている。但し、ハードウェア（専用回路）で実現しても良い。【００８９】
自他第二解答情報構成部１３４０８は、１以上の情報出力装置１３３から受信した第二解答領域１３１０４に記載された情報に基づいて、自他第二解答情報を構成する。自他第二解答情報構成部１３４０８は、は、通常、ＭＰＵやメモリ等から実現され得る。自他第二解答情報構成部１３４０８の処理手順は、通常、ソフトウェアで実現され、当該ソフトウェアはＲＯＭ等の記録媒体に記録されている。但し、ハードウェア（専用回路）で実現しても良い。【００９０】
出席情報送信部１３４０９は、出席情報構成部１３４０６が構成した出席情報を情報出力装置１３３に送信する。出席情報送信部１３４０９が出席情報を送信するタイミングは問わない。出席情報送信部１３４０９は、例えば、授業の開始前に、出席者数を示す出席情報を、全情報出力装置１３３に送信する。また、出席情報送信部１３４０９は、例えば、情報出力装置１３３から出席領域１３１０１に記載された情報を受信した場合（通常、かかる場合は、出席者に変動があった場合）、出席情報を送信する。出席情報送信部１３４０９は、通常、無線または有線の通信手段で実現されるが、放送手段で実現されても良い。【００９１】
第一解答情報送信部１３４１０は、第一解答情報構成部１３４０７が構成した他人第一解答情報または／および自己第一解答情報を送信する。第一解答情報送信部１３４１０が他人第一解答情報または／および自己第一解答情報を送信するタイミングは問わない。第一解答情報送信部１３４１０は、情報出力装置１３３からの指示に基づいて送信しても良いし、定期的に送信しても良い。他人第一解答情報と自己第一解答情報は、通常、同じ構造であるが、異なる構造でも良い。他人第一解答情報は、例えば、受講者ＩＤと解答に関する情報を有し、当該受講者ＩＤに基づいて、情報出力装置１３３が他人第一解答情報か自己第一解答情報かを判断する構成でも良い。第一解答情報送信部１３４１０は、通常、無線または有線の通信手段で実現されるが、放送手段で実現されても良い。【００９２】
自他第二解答情報送信部１３４１１は、自他第二解答情報構成部１３４０８が構成した自他第二解答情報を送信する。自他第二解答情報送信部１３４１１が自他第二解答情報を送信するタイミングは問わない。自他第二解答情報送信部１３４１１は、情報出力装置１３３からの指示に基づいて送信しても良いし、定期的に送信しても良い。自他第二解答情報送信部１３４１１は、通常、無線または有線の通信手段で実現されるが、放送手段で実現されても良い。【００９３】
以下、本情報処理システムの動作について説明する。電子ペン１２の動作については説明済みである。【００９４】
次に、情報出力装置１３３の動作について図１５のフローチャートを用いて説明する。【００９５】
（ステップＳ１５０１）コンテンツ取得部１３０１は、送信装置１４から教育コンテンツを受信したか否かを判断する。教育コンテンツを受信すればステップＳ１５０２に行き、教育コンテンツを受信しなければステップＳ１５０３に飛ぶ。【００９６】
（ステップＳ１５０２）情報出力部１３３０６は、ステップＳ１５０１で受信した教育コンテンツを出力する。ステップＳ１５０１に戻る。【００９７】
（ステップＳ１５０３）ペン情報受信部１３０３は、電子ペン１２から情報を受信したか否かを判断する。電子ペン１２から情報を受信すればステップＳ１５０４に行き、電子ペン１２から情報を受信しなければステップＳ１５１５に飛ぶ。【００９８】
（ステップＳ１５０４）関連情報取得部１３０４は、ステップＳ１５０３で受信した情報が関連情報の取得を指示する情報であるか否かを判断する。関連情報の取得を指示する情報であればステップＳ１５０５に行き、関連情報の取得を指示する情報でなければステップＳ１５０７に飛ぶ。受信した情報が関連情報の取得を指示する情報であるか否かの判断方法の例は、実施の形態１で説明した。【００９９】
（ステップＳ１５０５）関連情報取得部１３０４は、ステップＳ１５０３で受信した情報に基づいて、関連情報格納部１３０２から関連情報を取得する。関連情報を取得するアルゴリズムの例については、図５のフローチャートで説明済みである。【０１００】
（ステップＳ１５０６）情報出力部１３０５は、ステップＳ１５０５で取得した関連情報を出力する。ステップＳ１５０１に戻る。【０１０１】
（ステップＳ１５０７）情報出力部１３３０６は、ステップＳ１５０３で受信した情報が、電子ペン１２を使用して記載された選択指示（選択領域１３１０２に記載された指示）であるか否かを判断する。選択指示であればステップＳ１５０８に行き、選択指示でなければステップＳ１５１４に飛ぶ。なお、情報出力部１３３０６は、通常、受信した情報が含む座標情報（ｘ，ｙ）から、電子ペン１２で記載された指示が選択領域１３１０２に記載された指示であるか否かを判断できる。情報出力部１３３０６は、図示しない手段により、選択領域１３１０２を特定する座標情報群を保持している。詳細は後述する。【０１０２】
（ステップＳ１５０８）情報出力部１３３０６は、ステップＳ１５０３で受信した情報が、他人第一解答情報の出力指示であるか否かを判断する。他人第一解答情報の出力指示であればステップＳ１５０９に行き、他人第一解答情報の出力指示でなければステップＳ１５１０に飛ぶ。【０１０３】
（ステップＳ１５０９）情報出力部１３３０６は、格納している他人第一解答情報を出力する。なお、情報出力装置１３３が他人第一解答情報を、送信装置１３４から受信していない場合、例えば、予め格納されているエラーメッセージが出力されたり、選択指示が無視されたりする。また、他人第一解答情報は、教育コンテンツの出力を隠すように出力されても良いし、教育コンテンツとオーバーラップして出力されても良いし、教育コンテンツとは別ウィンドウでオーバーラップしない態様で出力されても良い。他人第一解答情報の出力態様は問わない。ステップＳ１５０１に戻る。【０１０４】
（ステップＳ１５１０）情報出力部１３３０６は、ステップＳ１５０３で受信した情報が、自己第一解答情報の出力指示であるか否かを判断する。自己第一解答情報の出力指示であればステップＳ１５１１に行き、自己第一解答情報の出力指示でなければステップＳ１５１２に飛ぶ。情報出力部１３３０６は、送信装置１４から受信した情報が自己第一解答情報であるか否かは、例えば、自己第一解答情報のヘッダー情報として付加されている受講者ＩＤと情報出力装置１３に予め格納されている受講者ＩＤが一致しているか否かにより判断する。なお、受講者ＩＤは受講者を識別する情報であり、通常、電子ペン１２を識別する情報と一致し、電子ペンに格納されている情報である。また、電子ペン１２から情報（通常、座標情報群）が送信される場合、当該情報には受講者ＩＤが付加されている。【０１０５】
（ステップＳ１５１１）情報出力部１３３０６は、格納している自己第一解答情報を出力する。なお、情報出力装置１３３が自己第一解答情報を、送信装置１３４から受信していない場合の処理、および自己第一解答情報の出力態様は、他人第一解答情報の処理等と同様である。ステップＳ１５０１に戻る。【０１０６】
（ステップＳ１５１２）情報出力部１３３０６は、ステップＳ１５０３で受信した情報が、自他第二解答情報の出力指示であるか否かを判断する。自他第二解答情報の出力指示であればステップＳ１５１３に行き、自他第二解答情報の出力指示でなければステップＳ１５０１に戻る。【０１０７】
（ステップＳ１５１３）情報出力部１３３０６は、格納している自他第二解答情報を出力する。なお、情報出力装置１３３が自他第二解答情報を、送信装置１３４から受信していない場合の処理、および自他第二解答情報の出力態様は、他人第一解答情報の処理等と同様である。ステップＳ１５０１に戻る。【０１０８】
（ステップＳ１５１４）ペン情報送信部１３３０１は、ステップＳ１５０３で受信した情報のうちの少なくとも一部の情報を送信装置１３４に送信する。少なくとも一部とは、例えば、選択指示に関する情報は送信しない、という意味である。ただし、ペン情報送信部１３３０１は、ステップＳ１５０３で受信したすべての情報を送信装置１３４に送信しても良い。【０１０９】
（ステップＳ１５１５）授業出席情報受信部１３３０２は、出席に関する情報である出席情報を送信装置１３４から受信したか否かを判断する。出席情報を受信すればステップＳ１５１６に行き、出席情報を受信しなければステップＳ１５１７に飛ぶ。【０１１０】
（ステップＳ１５１６）情報出力部１３３０６は、出席情報を出力する。ステップＳ１５０１に戻る。【０１１１】
（ステップＳ１５１７）他人第一解答情報受信部１３３０３、自己第一解答情報受信部１３３０４、第二解答情報受信部１３３０５は、それぞれ、他人第一解答情報、自己第一解答情報、自他第二解答情報を受信したか否かを判断する。情報を受信すればステップＳ１５１８に行き、情報を受信しなければステップＳ１５０１に戻る。【０１１２】
（ステップＳ１５１８）他人第一解答情報受信部１３３０３、自己第一解答情報受信部１３３０４、第二解答情報受信部１３３０５は、それぞれ、受信した情報を蓄積する。ステップＳ１５０１に戻る。【０１１３】
なお、図１５のフローチャートにおいて、電源オフや処理終了の割り込みにより処理は終了する。【０１１４】
次に、送信装置１３４の動作について図１６から図１８のフローチャートを用いて説明する。【０１１５】
（ステップＳ１６０１）コンテンツ送信部１４０２は、コンテンツ格納部１４０１に送信すべき教育コンテンツが存在するか否かを判断する。教育コンテンツが存在すればステップＳ１６０２に行き、教育コンテンツが存在しなければ処理を終了する。なお、教育コンテンツは、例えば、予め決められた時刻に送信が開始され、一の教育コンテンツ（動画、音声を含むストリーム）の送信が完了するまで、教育コンテンツが存在する、とする。【０１１６】
（ステップＳ１６０２）コンテンツ送信部１４０２は、コンテンツ格納部１４０１から次に送信する教育コンテンツの一部を取得する。【０１１７】
（ステップＳ１６０３）コンテンツ送信部１４０２は、ステップＳ１６０２で取得した教育コンテンツを送信する。【０１１８】
（ステップＳ１６０４）出席情報受信部１３４０３、または第一解答情報受信部１３４０４、または第二解答情報受信部１３４０５がそれぞれ、出席領域１３１０１、第一解答領域１３１０３、第二解答領域１３１０４に記載された情報を受信したか否かを判断する。情報を受信すればステップＳ１６０５に行き、情報を受信しなければステップＳ１６１８に飛ぶ。【０１１９】
（ステップＳ１６０５）出席情報受信部１３４０３は、電子ペン１２を使用して出席領域１３１０１に記載された情報を情報出力装置１３３から受信したか否かを判断する。出席領域１３１０１に記載された情報を受信した場合はステップＳ１６０６に行き、出席領域１３１０１に記載された情報を受信しなかった場合はステップＳ１６０８に飛ぶ。【０１２０】
（ステップＳ１６０６）出席情報構成部１３４０６は、受信した情報から受講者ＩＤを取得する。受講者ＩＤは、例えば、受信した情報のヘッダー部（例えば、情報の０ｂｙｔｅ目から２０ｂｙｔｅ目）に存在する。【０１２１】
（ステップＳ１６０７）出席情報構成部１３４０６は、ステップＳ１６０６で取得した受講者ＩＤと受信した情報に基づいて出席情報を構成し、蓄積する。出席情報構成部１３４０６は、例えば、ステップＳ１６０６で取得した受講者ＩＤを、格納している出席情報に追記して、全受講者のＩＤを含む出席情報を構成する。出席情報構成部１３４０６は、例えば、受講者数を示す出席情報に１を加えて、出席情報を構成する。かかる場合、出席情報は、受講者数である。ステップＳ１６０１に戻る。【０１２２】
（ステップＳ１６０８）第一解答情報受信部１３４０４は、電子ペン１２を使用して第一解答領域１３１０３に記載された情報を情報出力装置１３３から受信したか否かを判断する。第一解答領域１３１０３に記載された情報を受信すればステップＳ１６０９に行き、第一解答領域１３１０３に記載された情報を受信しなければステップＳ１６１４に飛ぶ。【０１２３】
（ステップＳ１６０９）第一解答情報構成部１３４０７は、受信した情報から受講者ＩＤを取得する。【０１２４】
（ステップＳ１６１０）第一解答情報構成部１３４０７は、第一解答情報を構成する。第一解答情報を構成するアルゴリズムの例は、図１７のフローチャートを用いて説明する。【０１２５】
（ステップＳ１６１１）第一解答情報構成部１３４０７は、ステップＳ１６０９で取得した受講者ＩＤと、ステップＳ１６１０で構成した第一解答情報を対にして蓄積する。【０１２６】
（ステップＳ１６１２）第一解答情報送信部１３４１０は、自己第一解答情報を構成する。第一解答情報送信部１３４１０は、例えば、情報のヘッダー部に受講者ＩＤを書き込み、本体部に第一解答情報を書き込む。【０１２７】
（ステップＳ１６１３）第一解答情報送信部１３４１０は、ステップＳ１６１２で構成した自己第一解答情報を送信する。かかる送信は、通常、マルチキャストである。なお、この自己第一解答情報は、ヘッダー部に記載されている受講者ＩＤで識別される受講者にとっての自己第一解答情報であり、他の人にとっては他人第一解答情報である。ステップＳ１６０１に戻る。【０１２８】
（ステップＳ１６１４）自他第二解答情報送信部１３４１１は、電子ペン１２を使用して第二解答領域１３１０４に記載された情報を情報出力装置１３３から受信したか否かを判断する。第二解答領域１３１０４に記載された情報を受信すればステップＳ１６１５に行き、第二解答領域１３１０４に記載された情報を受信しなければステップＳ１６０１に戻る。【０１２９】
（ステップＳ１６１５）自他第二解答情報構成部１３４０８は、受信した情報から受講者ＩＤを取得する。【０１３０】
（ステップＳ１６１６）自他第二解答情報構成部１３４０８は、採点処理を行う。第二解答領域１３１０４に記載される情報がテストの解答であり、採点処理とは、かかるテストの採点を行なうことをいう。採点処理のアルゴリズム例は、後述する。また、採点処理の結果、テストの点数が得られる、とする。【０１３１】
（ステップＳ１６１７）自他第二解答情報構成部１３４０８は、ステップＳ１６１５で取得した受講者ＩＤと、ステップＳ１６１６で得た点数を対にして蓄積する。ステップＳ１６０１に戻る。【０１３２】
（ステップＳ１６１８）第一解答情報送信部１３４１０は、他人一解答情報を送信するタイミングであるか否かを判断する。他人一解答情報を送信するタイミングであればステップＳ１６１９に行き、他人一解答情報を送信するタイミングでなければステップＳ１６２１に飛ぶ。なお。他人一解答情報を送信するタイミングであるか否かを判断するアルゴリズムは問わない。例えば、所定数（例えば、１００）以上の第一解答情報を得た場合に、他人一解答情報を送信するタイミングであると判断しても良いし、全受講生の第一解答情報を得た場合に、他人一解答情報を送信するタイミングであると判断しても良いし、処理の開始から所定時間経過した段階で他人一解答情報を送信するタイミングであると判断しても良い。【０１３３】
（ステップＳ１６１９）第一解答情報送信部１３４１０は、１以上の第一解答情報を取得する。第一解答情報送信部１３４１０は、例えば、最も情報数（情報のデータ量）の多い第一解答情報を１つ取得しても良いし、すべての第一解答情報を取得しても良い。その他、第一解答情報送信部１３４１０がどのような第一解答情報を、どのようなアルゴリズムで取得するかは問わない。なお、ここで取得する１以上の第一解答情報は、ステップＳ１６１１で蓄積された第一解答情報である。【０１３４】
（ステップＳ１６２０）第一解答情報送信部１３４１０は、ステップＳ１６１９で取得した第一解答情報を送信する。ステップＳ１６０１に戻る。なお、ここで送信する第一解答情報は、通常、他人第一解答情報であるが、ある受講者にとっては、自己第一解答情報である場合もある。【０１３５】
（ステップＳ１６２１）自他第二解答情報送信部１３４１１は、自他第二解答情報を送信するタイミングであるか否かを判断する。自他第二解答情報を送信するタイミングであればステップＳ１６２２に行き、自他第二解答情報を送信するタイミングでなければステップＳ１６０１に戻る。【０１３６】
（ステップＳ１６２２）自他第二解答情報送信部１３４１１は、自他第二解答情報を取得する。自他第二解答情報送信部１３４１１は、自分の第二解答領域に記載された情報（テスト）の点数でも良いし、全受講生の第二解答領域に記載された情報（テスト）の平均点でも良い。自他第二解答情報が平均点の場合は、自他第二解答情報送信部１３４１１は、全点数の平均値を求める処理を行なう。【０１３７】
（ステップＳ１６２３）自他第二解答情報送信部１３４１１は、ステップＳ１６２２で取得した自他第二解答情報を送信する。かかる送信は、通常、マルチキャストである。ステップＳ１６０１に戻る。【０１３８】
次に、第一解答情報を構成するアルゴリズムの例について図１７のフローチャートを用いて説明する。【０１３９】
（ステップＳ１７０１）第一解答情報構成部１３４０７は、予め保持している第一解答情報を構成するためのひな型を読み出す。ひな型とは、教育コンテンツを視聴する際に受講者が作製するノートの枠や、完成イメージのノートのうちの所定の割合の文字が記載されたノート等である。【０１４０】
（ステップＳ１７０２）第一解答情報構成部１３４０７は、電子ペン１２で記載された情報であり、受信した情報のうち、第一解答領域１３１０３に記載された情報（通常、複数の座標情報）から文字コードを生成する。ここでは、例えば、第一解答領域１３１０３に記載された情報を、１文字を構成する情報に分割し、当該１文字を構成する情報ごとに、文字コードを生成する。また、第一解答情報構成部１３４０７は、電子ペン１２で記載された情報であり、受信した情報のうち、第一解答領域１３１０３に記載された情報（通常、複数の座標情報）からビットマップデータ（背景が透明であることが好ましい）を構成しても良い。なお、複数の座標情報から文字コード等を生成する技術は、公知技術であるのでここでの詳細な説明は省略する。【０１４１】
（ステップＳ１７０３）第一解答情報構成部１３４０７は、第一解答領域１３１０３に記載された情報の先頭の座標情報（左上の座標情報）と、ステップＳ１７０２で生成した文字コードを対応付けて一時蓄積する。ここで、文字の数だけ、先頭の座標情報と文字コードの対の情報が蓄積される。【０１４２】
（ステップＳ１７０４）第一解答情報構成部１３４０７は、ステップＳ１７０１で読み出したひな型に、ステップＳ１７０３で一時蓄積した全文字コード、またはビットマップをマッピングする。マッピングの際に、文字コードと対になる先頭の座標情報が示す位置に、当該文字コードを配置する。以上の処理により、第一解答情報を構成できる。上位関数にリターンする。【０１４３】
次に、採点処理のアルゴリズムの例について図１８のフローチャートを用いて説明する。【０１４４】
（ステップＳ１８０１）自他第二解答情報構成部１３４０８は、変数「点数」に０を代入する。【０１４５】
（ステップＳ１８０２）自他第二解答情報構成部１３４０８は、電子ペン１２で記載された情報であり、受信した情報のうち、第二解答領域１３１０４に記載された情報（通常、複数の座標情報）が存在するか否かを判断する。第二解答領域１３１０４に記載された情報が存在すればステップＳ１８０３に行き、第二解答領域１３１０４に記載された情報が存在しなければ上位関数にリターンする。【０１４６】
（ステップＳ１８０３）自他第二解答情報構成部１３４０８は、電子ペン１２で記載された情報であり、受信した情報（通常、複数の座標情報）のうち、一連の座標情報を取得する。一連の座標情報とは、例えば、１問の問題に対する解答を示す座標情報である。一連の座標情報とは、具体的には、例えば、複数の座標情報（ｘ，ｙ）のうちの、所定の範囲のｙ座標値を有する複数の座標情報のみである。【０１４７】
（ステップＳ１８０４）自他第二解答情報構成部１３４０８は、ステップＳ１８０３で取得した情報から問題を識別する問題ＩＤを決定する。例えば、自他第二解答情報構成部１３４０８は、予め、問題ＩＤと、当該問題ＩＤの解答が記載される枠の左上座標（ｘ１，ｙ１）、右下座標（ｘ２，ｙ２）の対を格納しており、ステップＳ１８０３で取得した情報のうちの１点（ｘ，ｙ）が、左上座標（ｘ１，ｙ１）、右下座標（ｘ２，ｙ２）で識別される矩形内の点であるか否かを判断し、１点（ｘ，ｙ）が当該矩形内の点であれば、当該矩形に対応する問題ＩＤを取得する。【０１４８】
（ステップＳ１８０５）自他第二解答情報構成部１３４０８は、自他第二解答情報構成部１３４０８は、ステップＳ１８０３で取得した情報から、ユーザの解答を決定する。かかる処理は、ステップＳ１８０３で取得した情報から文字コードを取得する処理であっても良いし、ステップＳ１８０３で取得した情報から選択した解答を決定する処理であっても良い。かかる処理は、公知技術であるので詳細な説明は省略する。【０１４９】
（ステップＳ１８０６）自他第二解答情報構成部１３４０８は、ステップＳ１８０４で取得した問題ＩＤに対応する正解の情報を取得する。自他第二解答情報構成部１３４０８は、例えば、問題ＩＤと正解の情報を対にして保持している。【０１５０】
（ステップＳ１８０７）自他第二解答情報構成部１３４０８は、ステップＳ１８０５で決定したユーザの解答とステップＳ１８０６で取得した正解が合致するか否かを判断する。合致すればステップＳ１８０８に行き、合致しなければステップＳ１８０２に戻る。【０１５１】
（ステップＳ１８０８）自他第二解答情報構成部１３４０８は、変数「点数」に、問題ＩＤに対応する正解時の点数を加算する。問題ＩＤに対応する正解時の点数は、問題ごとに異なっていても良いし、すべての問題で同一でも良い。ステップＳ１８０２に戻る。【０１５２】
以下、本実施の形態における情報処理システムの具体的な動作について説明する。情報処理システムの概念図は図１３である。【０１５３】
図１９は、第二媒体１３１の例である。図１９において、第二媒体１３１は、出席領域１３１０１と、選択領域１３１０２と、第一解答領域１３１０３と、第二解答領域１３１０４と、送信指示領域１３１０５と、メモ領域１３１０６を有する。第一解答領域１３１０３は、教育コンテンツの理解を促進するために、ノートを記載するための領域である。第一解答領域１３１０３は、重要なキーワードを記入するような、ノートの領域である。第一解答領域１３１０３は、ノートのひな型である。【０１５４】
また、第二解答領域１３１０４は、教育コンテンツの配信における授業の終了後に、行なわれるテストの解答を記載する領域である。また、第二解答領域１３１０４は、テストの解答をチェックする、または丸で囲んで正解を選択する領域である。さらに、第二解答領域１３１０４は、テストの開始を知らせるための開始領域１３１０４１、テストの終了を知らせるための終了領域１３１０４２を有する。ユーザが、電子ペン１２で開始領域１３１０４１をチェックすると、テストを開始したことを送信装置１３４等が認識し、ユーザが、電子ペン１２で終了領域１３１０４２をチェックすると、テストを終了したことを送信装置１３４等が認識する。【０１５５】
また、送信指示領域１３１０５は、出席領域１３１０１に記載された情報等を送信する指示を行なうための領域である。ユーザが、電子ペン１２で送信指示領域１３１０５をチェックすると、電子ペン１２は、格納している情報（電子ペン１２の通過した軌跡の座標情報群）を情報出力装置１３３に送信する。メモ領域１３１０６は、教育コンテンツの視聴中などに、ユーザが、自由に記載できる領域である。【０１５６】
選択領域１３１０２において、ユーザが「１」の領域を電子ペン１２でチェックすると、教育コンテンツのみが情報出力装置１３３に出力される。また、ユーザが「２」の領域を電子ペン１２でチェックすると、ユーザ自身のノート（第一解答領域１３１０３に記載した情報）が情報出力装置１３３に表示される。また、ユーザが「３」の領域を電子ペン１２でチェックすると、他のユーザのノート（他人が第一解答領域１３１０３に記載した情報）が情報出力装置１３３に表示される。また、ユーザが「４」の領域を電子ペン１２でチェックすると、模範となるノートが情報出力装置１３３に表示される。さらに、ユーザが「マルチ表示」の領域を電子ペン１２でチェックすると、教育コンテンツ、ユーザ自身のノート、他人のノート、模範となるノートが４分割で情報出力装置１３３に表示される。なお、模範となるノートの情報は、例えば、送信装置１３４が予め保持しており、予め情報出力装置１３３に配信している、とする。ただし、送信装置１３４が、模範となるノートの情報を配信するタイミングは問わない。【０１５７】
今、ユーザ（受講者）が、経営に関する教育コンテンツを視聴する、とする。なお、教育コンテンツの視聴のトリガーは問わない。【０１５８】
そして、ユーザは、教育コンテンツを視聴しながら、電子ペン１２で第二媒体１３１にノートをとる。また、ユーザは、教育コンテンツの視聴後、テストを行なうためのコンテンツを視聴し、テストの解答を行なう。さらに、ユーザが、教育コンテンツを視聴している間に分からない用語等がある場合に、第一媒体１１の関連情報領域１１０１を、電子ペン１２でチェックする。すると、情報出力装置１３３にチェックした関連情報領域１１０１に対応する関連情報が表示される。ユーザが、以上のサービスを享受するための情報処理システムの動作について、以下に、具体的に説明する。【０１５９】
まず、送信装置１３４のコンテンツ送信部１４０２は、コンテンツ格納部１４０１に格納されている経営に関して教育するための教育コンテンツを読み出し、順次、配信する。【０１６０】
次に、情報出力装置１３３のコンテンツ取得部１３０１は、教育コンテンツを受信する。そして、情報出力部１３３０６は、受信した教育コンテンツを出力する（図８参照）。ここでの出力は、通常、映像と音声の出力である。【０１６１】
そして、この映像、音声の出力によって、ユーザに、電子ペン１２を用いて、第二媒体１３１の出席領域１３１０１にチェックするように促す。次に、指示通りに、ユーザは、第二媒体１３１の出席領域１３１０１にチェックする。すると、電子ペン１２は、ユーザのチェックした軌跡を示す複数の座標情報を取得する。次に、電子ペン１２は、格納している電子ペンを識別する情報である受講者ＩＤを取得する。そして、電子ペン１２は、受講者ＩＤと複数の座標情報から情報出力装置１３３に送信する情報を構成する。かかる電子ペン１２が情報出力装置１３３に送信する情報の例を図２０に示す。【０１６２】
次に、ユーザは、第二媒体１３１の送信指示領域１３１０５をチェックする。すると、電子ペン１２は、ユーザのチェックした軌跡を示す複数の座標情報を取得する。そして、電子ペン１２は、送信指示領域１３１０５がチェックされたことを認識し、図２０に示す情報を、情報出力装置１３３に送信する。【０１６３】
図２１は、情報出力装置１３３が管理している出力制御管理表である。出力制御管理表は、情報出力装置１３３が出力する情報を制御するための表である。なお、ここでは、出力され得る情報は、教育コンテンツ、自分のノート、他人のノート、模範ノートの４種類である、とする。自分のノートは、視聴者が第一解答領域１３１０３に記載して作成したノートである。他人のノートは、他の視聴者が第一解答領域１３１０３に記載して作成したノートである。模範ノートは、予め容易されている模範的なノートである。なお、本明細書において、視聴者、受講者、ユーザは同様の意味である。【０１６４】
出力制御管理表は、「ＩＤ」「選択指示」「座標情報」「アクション」を有するレコードを１以上格納している。「ＩＤ」は、レコードを識別する情報であり、表におけるレコード管理のために存在する。「選択指示」は、選択領域１３１０２のうちの一部の領域を識別する情報であり、選択領域１３１０２に記載されている情報である。「座標情報」は、選択指示で識別される領域を特定する情報であり、領域の左上座標、右下座標を有する。「アクション」は、対応する領域がチェックされた場合に行なわれる動作である。「アクション」内には、「ｓｈｏｗ」という関数が記載されている。関数「ｓｈｏｗ」は、引数のウィンドウに、引数の情報を表示することを示している。「主ウィンドウ」は、画面の全面である。「サブ１ウィンドウ」は、画面の左上のウィンドウである。「サブ２ウィンドウ」は、画面の右上のウィンドウである。「サブ３ウィンドウ」は、画面の左下のウィンドウである。「サブ４ウィンドウ」は、画面の右下のウィンドウである。サブウィンドウを図２２に示す。「ｓｈｏｗ（サブ１ウィンドウ，教育コンテンツ）」は、サブ１ウィンドウに教育コンテンツを出力する関数である。【０１６５】
図２３は、送信装置１３４が保持している受講者管理表である。受講者管理表は、受講者を管理するための表である。受講者が電子ペン１２で、第二媒体１３１の出席領域１３１０１をチェックした後、送信指示領域１３１０５をチェックすれば、図２０に示すような情報が、電子ペン１２から情報出力装置１３３を経由して送信装置１３４に送信される。そして、送信装置１３４の出席情報受信部１３４０３が情報を受信する。次に、出席情報構成部１３４０６が図２０の情報から受講者ＩＤを取り出し、受講者管理表に追記する。なお、ここでは、出席情報構成部１３４０６は、受講者管理表から受講者数（受講者管理表のレコード数と一致する）を算出する処理も行う、とする。【０１６６】
図２４は、送信装置１３４が保持しているひな型である。このひな型は、第一解答情報を構成するための情報である。【０１６７】
図２５は、送信装置１３４が保持している問題解答情報管理表である。問題解答情報管理表は、第二媒体１３１の第二解答領域１３１０４に記載されるテストの問題と解答に関する情報を管理する表である。問題解答情報管理表は、「ＩＤ」「問題ＩＤ」「問題領域情報」「正解」「正解領域情報」を有するレコードを１以上保持している。「問題ＩＤ」は、問題を識別する情報である。「問題領域情報」は、問題ＩＤに対応する問題に対する解答を記載する領域を識別する情報である。解答を記載する領域は、第二媒体１３１の第二解答領域１３１０４中の領域である。「問題領域情報」は、解答を記載する領域の左上座標、右下座標の情報を有する。「正解」は、問題の正解を示す情報である。「正解領域情報」は、第二解答領域１３１０４中で、正解が記載されている領域を示す情報であり、左上座標、右下座標の情報を有する。なお、第二解答領域１３１０４の一の問題において、複数の解答候補が印刷されており、ユーザは、解答候補に対してチェックする、丸を付けるなどの処理により解答を選択する。そして、送信装置１３４は、電子ペン１２から情報出力装置１３経由で、電子ペン１２の軌跡である座標情報群を受信し、どの解答が選択されたかを判断する。そして、送信装置１３４は、選択された解答と正解とが合致するかどうか判断し、合致すれば、所定の点数、例えば、２０点を変数「点数」に加算する。【０１６８】
そして、情報出力装置１３３が教育コンテンツを受信して出力している時（情報出力装置１３３の画面が図２０の場合）に、ユーザが、第二媒体１３１の選択領域１３１０２の「３」の領域を、電子ペン１２でチェックした、とする。そして、電子ペン１２は、その軌跡を示す座標情報群を取得し、受講者ＩＤを付与して、情報出力装置１３３に送信する。すると、情報出力装置１３３は、図２１の出力制御管理表の「座標情報」と受信した座標情報から、選択指示「３」で特定されるアクション「ｓｈｏｗ（主ウィンドウ，他人のノート）」を実行する。かかる実行前に、他人のノートの情報が、送信装置１３４から情報出力装置１３３に配信されている、とする。なお、受講者が電子ペン１２で第一解答領域１３１０３に記載した情報が、情報出力装置１３３経由で送信装置１３４に送信され、送信装置１３４がひな型と第一解答領域１３１０３に記載された情報を合成して、他人のノートを構成し、情報出力装置１３３に配信済みである、とする。【０１６９】
そして、情報出力装置１３３は、「ｓｈｏｗ（主ウィンドウ，他人のノート）」の実行により、図２６に示すように、画面の全面に他人のノートを表示できる。かかる処理により、受講生に他人の学習状況が分かり、強い刺激を受けると共に、授業の視聴に一層、熱が入る。なお、教育コンテンツが表示されていない場合でも、通常は、教育コンテンツが有する音声は出力されている、とする。【０１７０】
次に、ユーザが、第二媒体１３１の選択領域１３１０２の「マルチ表示」の領域を、電子ペン１２でチェックした、とする。そして、電子ペン１２は、その軌跡を示す座標情報群を取得し、受講者ＩＤを付与して、情報出力装置１３に送信する。すると、情報出力装置１３３は、図２１の出力制御管理表の「座標情報」と受信した座標情報から、選択指示「マルチ表示」で特定されるアクション「ｓｈｏｗ（サブ１ウィンドウ，教育コンテンツ）、ｓｈｏｗ（サブ２ウィンドウ，自分のノート）、・・・・」を取得し、実行する。かかる実行前に、自分のノート、他人のノート、模範ノートの情報が、送信装置１３４から情報出力装置１３３に配信されている、とする。そして、情報出力装置１３３の画面は、図２７に示すような画面に切り替わる。かかる画面によれば、ユーザは、教育コンテンツを視聴しながら、自分のノート、他人のノート、模範ノートを見ることができる。したがって、ユーザは、より受講に熱心になり、かつ授業の理解度に関する他人と自分の比較も容易にできる。【０１７１】
なお、「マルチ表示」の領域を、電子ペン１２でチェックした場合に、図２７の表示の代わりに、図２８に示すような表示でも良い。つまり、情報出力装置１３３の画面を、どのようなウィンドウに区分しても良いし、オーバーラップしても良い。また、図２８において、出席情報である受講者数を表示している。これは、送信装置１３４が受信した出席に関する情報に基づいて、受講者数を算出し、情報出力装置１３３に配信した結果である。図２８において、例えば、「ノート１」のウィンドウには自分のノートを表示し、「ノート２」のウィンドウには他人のノートを表示し、「ノート３」のウィンドウには模範ノートを表示する。【０１７２】
また、送信装置１３４は、受信した出席に関する情報に基づいて、図２９に示す情報を構成し、情報出力装置１３３に配信しても良い。図２９に示す情報は、出席情報の一種である受講者数、第一解答領域１３１０３に記載されたノートに関する成績である、受講者のノート点、第二解答領域１３１０４に記載されたミニテストの解答から算出されたミニテストの点数、ノート点の平均点、ミニテストの点数の平均点である。かかる数値の算出は、公知技術により可能である。なお、送信装置１３４は、図２９に示す情報を教育コンテンツとして情報出力装置１３３に配信しても良いし、出席情報等として、教育コンテンツとは別に情報出力装置１３３に送信しても良い。【０１７３】
さらに、実施の形態１で説明したように、情報出力装置１３３が、例えば、図２０のコンテンツを出力中に、ユーザが、電子ペン１２で、図６の単語辞書ノートの「ＩＳＯ１４０００」に対応する関連情報領域１１０２をチェックした、とする（図９参照）。すると、実施の形態１で説明した動作により、情報出力装置１３３は、図１１または図１２等の画面を表示する。【０１７４】
以上、本実施の形態によれば、効果的な教育システムを提供できる。具体的には、受講者は、教育コンテンツを視聴しながら、電子ペンでノートを記載でき、かつ他人または／および自分のノートを画面で確認することができる。また、受講者は、テストの点数なども即座に知ることができる。さらに、受講者は、教育コンテンツなどのコンテンツを視聴しながら、当該コンテンツに関連する情報である関連情報（例えば、分からない用語の意味など）を簡単に知ることができる。この機能によって、コンテンツが教育コンテンツの場合、教育効果が大幅に向上する。【０１７５】
なお、本実施の形態によれば、情報出力装置が選択指示を判断し、情報出力装置が出力する情報を切り換えた。しかし、情報出力装置は、選択領域に記載された電子ペンの軌跡の情報も送信装置に送信し、送信装置が選択指示を判断して、当該選択指示に基づいた出力制御指示を情報出力装置に送信しても良い。かかる場合、送信装置は、情報出力装置から電子ペンを使用して選択領域に記載された情報を受信する選択情報受信部と、選択情報受信部が受信した情報に基づいて出力制御指示を取得する出力制御指示取得部と、出力制御指示取得部が取得した出力制御指示を情報出力装置に送信する出力制御指示送信部をさらに具備する構成である。また、情報出力装置は、コンテンツの出力切り替えの指示である出力制御指示を受信する出力制御指示受信部をさらに具備する構成である。つまり、選択領域に記載された情報をどの装置が解釈しても良い。ユーザが媒体の選択領域に記載した情報に基づいて、出力される情報や出力態様が変更されれば良い。かかることは、他の実施の形態においても同様である。【０１７６】
また、本実施の形態によれば、電子ペンで記載した情報は、情報出力装置経由で送信装置に送信されたが、電子ペンから直接送信装置に送信されても良いし、他の装置経由で送信装置に送信されても良い。かかることも、他の実施の形態においても同様である。【０１７７】
さらに、本実施の形態における情報出力装置を実現するソフトウェアは、以下のようなプログラムである。つまり、このプログラムは、コンピュータに、教育に関するコンテンツである教育コンテンツを取得するコンテンツ取得ステップと、前記電子ペンから情報を受信するペン情報受信ステップと、前記ペン情報受信ステップで受信した情報の中の前記第一媒体に記載された情報に基づいて、関連情報を取得する関連情報取得ステップと、前記教育コンテンツ、または／および前記ペン情報受信ステップで受信した情報の中の情報で、前記電子ペンを使用して前記第一解答領域に記載された情報に関する情報である自己第一解答情報、または／および前記関連情報取得ステップで取得した関連情報を出力する情報出力ステップを実行させるためのプログラム、である。【０１７８】
また、情報出力装置を実現するソフトウェアは、以下のようなプログラムである。つまり、このプログラムは、コンピュータに、教育コンテンツを取得するコンテンツ取得ステップと、前記電子ペンから情報を受信するペン情報受信ステップと、前記ペン情報受信ステップで受信した情報の中の第一媒体に記載された情報に基づいて、関連情報を取得する関連情報取得ステップと、前記ペン情報受信ステップで受信した情報のうちの少なくとも一部の情報を送信装置に送信するペン情報送信ステップと、前記電子ペンを使用して前記第一解答領域に記載された情報であり、当該電子ペンのユーザではない第三者が記載した情報に関する情報である他人第一解答情報を受信する他人第一解答情報受信ステップと、前記教育コンテンツ、または／および前記他人第一解答情報、または／および前記関連情報取得部が取得した関連情報を出力する情報出力ステップを実行させるためのプログラム、である。【０１７９】
また、上記プログラムにおける情報出力ステップは、前記電子ペンを使用して記載された選択指示に基づいて、出力する情報を変更することは好適である。【０１８０】
さらに、情報出力装置を実現するソフトウェアは、以下のようなプログラムである。つまり、このプログラムは、コンピュータに、教育コンテンツを取得するコンテンツ取得ステップと、前記電子ペンから情報を受信するペン情報受信ステップと、前記ペン情報受信ステップで受信した情報の中の第一媒体に記載された情報に基づいて、関連情報を取得する関連情報取得ステップと、前記ペン情報受信ステップで受信した情報のうちの少なくとも一部の情報を送信するペン情報送信ステップと、出席に関する情報である出席情報を前記送信装置から受信する授業出席情報受信ステップと、前記電子ペンを使用して前記第一解答領域に記載された情報であり、当該電子ペンのユーザではない第三者が記載した情報に関する情報である他人第一解答情報を前記送信装置から受信する他人第一解答情報受信ステップと、前記電子ペンを使用して前記第一解答領域に記載された情報であり、当該電子ペンのユーザが記載した情報に関する情報である自己第一解答情報を前記送信装置から受信する自己第一解答情報受信ステップと、前記電子ペンを使用して前記第二解答領域に記載された情報であり、当該電子ペンのユーザまたは／および第三者が記載した情報に関する情報である自他第二解答情報を前記送信装置から受信する第二解答情報受信ステップと、前記電子ペンを使用して記載された選択指示に基づいて、前記教育コンテンツまたは／および他人第一解答情報または／および自己第一解答情報または／および自他第二解答情報を出力し、かつ前記関連情報取得ステップで取得した関連情報を出力する情報出力ステップを実行させるためのプログラム、である。
（実施の形態３）【０１８１】
本実施の形態において、実施の形態２の送信装置１３４が２つの装置に分かれている態様について説明する。つまり、実施の形態２の送信装置１３４が行なっていた教育コンテンツの配信を送信装置１４が行い、送信装置１３４が行なっていたペン情報の各種処理をサーバ装置３１０１が行う態様である。ペン情報とは、電子ペンで記載された情報から得られた情報（座標情報群）を含む情報である。【０１８２】
図３０は、本実施の形態における情報処理システムのブロック図である。本情報処理システムは、第一媒体１１、第二媒体１３１、電子ペン１２、情報出力装置１３３、送信装置１４、サーバ装置３１０１を具備する。なお、図３０のブロック図において、第一媒体１１、第二媒体１３１は省略されている。【０１８３】
サーバ装置３１０１は、出席情報受信部１３４０３、第一解答情報受信部１３４０４、第二解答情報受信部１３４０５、出席情報構成部１３４０６、第一解答情報構成部１３４０７、自他第二解答情報構成部１３４０８、出席情報送信部１３４０９、第一解答情報送信部１３４１０、自他第二解答情報送信部１３４１１を具備する。【０１８４】
電子ペン１２、情報出力装置１３３、送信装置１４の動作は説明済みである。また、サーバ装置３１０１は、送信装置１３４の機能を分割した一部の機能を果たすだけであるので、サーバ装置３１０１の動作についての説明も省略する。【０１８５】
以上、本実施の形態によれば、効果的な教育システムを提供できる、具体的には、受講者は、教育コンテンツを視聴しながら、電子ペンでノートを記載でき、かつ他人または／および自分のノートを画面で確認することができる。また、テストの点数なども即座に知ることができる。さらに、受講者は、教育コンテンツなどのコンテンツを視聴しながら、当該コンテンツに関連する情報である関連情報（例えば、分からない用語の意味など）を簡単に知ることができる。この機能によって、コンテンツが教育コンテンツの場合、教育効果が大幅に向上する。
（実施の形態４）【０１８６】
本実施の形態において、第一媒体に番組表が記載されている。ユーザは、番組表を電子ペンでチェック等することにより、番組受信装置を操作したり、番組や出演者の詳細情報を番組受信装置に表示させたりすることができる。また、本実施の形態において、電子ペンで取得された情報を、命令信号に変換する処理は、中継装置が行う。命令信号とは、番組受信装置を操作するための信号である。ここで、操作とは、番組受信装置の電源切り替え、表示の切り替え、チェンネル変更、音量変更などであり、種々の操作があり得る。【０１８７】
図３４は、本実施の形態における情報処理システムのブロック図である。【０１８８】
本情報処理システムは、第一媒体３４１、電子ペン１２、中継装置３４２、番組受信装置３４３、送信装置１４を具備する。なお、図３４のブロック図において、第一媒体３４１は省略している。【０１８９】
第一媒体３４１は、番組表が記載されている。第一媒体３４１は、通常、紙である。ただし、第一媒体３４１は、プラスチック等、その材質は何でも良い。番組表の記載とは、印刷や、凹凸による型どりなどである。また、第一媒体３４１は、例えば、特殊ドットパターンが印刷されている。第一媒体３４１は、例えば、従来技術におけるアノト社のペーパーである。また、第一媒体３４１は、新聞紙の一部であっても良いし、雑誌の一部であっても良いし、独立した媒体でも良い。また、番組表は、番組についての情報である番組情報が記載された番組欄と、チャンネル番号が記載されたチャンネル番号欄と、時間の情報が記載された時間欄を有する。また、番組表は、番組受信装置３４３を操作するリモコンのボタン図柄を有しても良い。ボタン図柄とは、例えば、電源オン／ＯＦＦの電源ボタンの図柄、音量のアップまたはダウンのボタンの図柄、チャネル変更の図柄、チャネル番号を示す図柄、録画のボタンの図柄などである。【０１９０】
中継装置３４２は、変換情報格納部３４２０１、記載情報受信部３４２０２、メーカー識別子蓄積部３４２０３、命令信号取得部３４２０４、命令信号送信部３４２０５を具備する。【０１９１】
変換情報格納部３４２０１は、１以上の変換情報を格納している。変換情報とは、電子ペン１２で記載された情報と、1以上の命令信号との対応を示す情報である。電子ペン１２で記載された情報とは、例えば、電子ペン１２から送信される座標情報群の情報である。変換情報は、例えば、領域の情報（例えば、矩形を構成する左上の座標情報（ｘ１，ｙ１）と右下の座標情報（ｘ２，ｙ２））と、1以上の命令信号を対に有する情報である。また、変換情報は、例えば、領域の情報と、メーカー識別子と、1以上の命令信号を対に有する情報である。なお、命令信号とは、番組受信装置を操作するための信号であり、例えば、リモコン信号である。リモコン信号は、例えば、番組受信装置のメーカーに対応して、異なる信号が決められている。なお、命令信号や変換情報やメーカー識別子のデータ構造や、割り当てられているデータ等は問わない。変換情報格納部３４２０１は、不揮発性の記録媒体が好適であるが、揮発性の記録媒体でも実現可能である。【０１９２】
記載情報受信部３４２０２は、電子ペン１２から第一媒体３４１に記載された情報を受信する。記載情報受信部３４２０２は、無線の通信手段が好適であるが、放送を受信する手段や有線の通信手段でも実現可能である。記載情報受信部３４２０２は、例えば、ブルートゥース（登録商標）などの近距離無線通信手段で実現されることが好適である。【０１９３】
メーカー識別子蓄積部３４２０３は、記載情報受信部３４２０２が受信した情報が、１以上のメーカー欄のいずれか一のメーカー欄に対して電子ペンで記載された情報である場合に、当該一のメーカー欄に対応付けられた情報であるメーカー識別子を蓄積する。メーカー識別子蓄積部３４２０３は、さらに具体的には、メーカー欄の領域を示す情報（例えば、矩形のメーカー欄の左上座標と右下座標の情報）とメーカー識別子の対を１対以上格納している。そして、メーカー識別子蓄積部３４２０３は、電子ペンで記載された情報（例えば、座標情報群）から、どのメーカー欄が指示されたかを決定し、当該メーカー欄と対になるメーカー識別子を読み出す。そして、メーカー識別子蓄積部３４２０３は、読み出したメーカー識別子を、少なくともメモリに一時格納する。メーカー識別子蓄積部３４２０３は、通常、ＭＰＵやメモリ等から実現され得る。メーカー識別子蓄積部３４２０３の処理手順は、通常、ソフトウェアで実現され、当該ソフトウェアはＲＯＭ等の記録媒体に記録されている。但し、ハードウェア（専用回路）で実現しても良い。【０１９４】
命令信号取得部３４２０４は、記載情報受信部３４２０２が受信した情報に対応する1以上の命令信号を、１以上の変換情報から取得する。さらに具体的には、命令信号取得部３４２０４は、記載情報受信部３４２０２が受信した情報（例えば、座標情報群）に基づいて、変換情報が有する領域情報（例えば、矩形を示す左上座標、右下座標）を検索し、受信した情報（座標情報群）が含まれる領域の領域情報を決定する。次に、命令信号取得部３４２０４は、当該領域情報と対になる1以上の命令信号を示す情報を読み出す。【０１９５】
また、命令信号取得部３４２０４は、好ましくは、記載情報受信部３４２０２が受信した情報に対応し、かつメーカー識別子蓄積部３４２０３が蓄積したメーカー識別子に対応する1以上の命令信号を取得する。かかる場合、変換情報は、メーカー識別子ごとに、異なる命令信号を有する。つまり、例えば、音量アップの命令信号でも、メーカー識別子ごとに異なる。命令信号取得部３４２０４は、通常、ＭＰＵやメモリ等から実現され得る。命令信号取得部３４２０４の処理手順は、通常、ソフトウェアで実現され、当該ソフトウェアはＲＯＭ等の記録媒体に記録されている。但し、ハードウェア（専用回路）で実現しても良い。【０１９６】
命令信号送信部３４２０５は、命令信号取得部３４２０４が取得した1以上の命令信号を、番組受信装置３４３に送信する。命令信号送信部３４２０５は、無線または有線の通信手段等で実現され得る。命令信号送信部３４２０５は、好ましくは、赤外線通信を行う。命令信号送信部３４２０５は、さらに具体的には、テレビに附属するリモコンの赤外線のリモコン発信部である。【０１９７】
番組受信装置３４３は、コンテンツ取得部３４３０１、情報出力部３４３０２、命令信号受信部３４３０３、動作部３４３０４、関連情報格納部１３０２、関連情報取得部１３０４を具備する。番組受信装置３４３は、例えば、地上波や衛星放送や、ＣＡＴＶの放送を受信し、出力するテレビである。番組受信装置３４３は、例えば、インターネット放送を受信するパーソナルコンピュータである。番組を受信する装置（例えば、ＳＴＢ）と、番組を表示する装置（ディスプレイ）が分離しており、かかる分離した２つの装置が番組受信装置３４３であっても良い。【０１９８】
コンテンツ取得部３４３０１は、送信装置１４から番組または／および関連情報を受信する。関連情報とは、ここでは、番組に関連する情報であり、例えば、番組の内容を説明する情報や、番組の出演者の情報（プロフィールや行動予定の情報など）である。また、コンテンツ取得部３４３０１は、番組と関連情報が対応付けられている状態で、受信することが好適である。例えば、番組と関連情報は重畳されて、送信装置１４から送信される。ただし、コンテンツ取得部３４３０１は、番組を放送受信し、関連情報をインターネット等の通信手段で受信しても良い。また、コンテンツ取得部３４３０１は、記録媒体からコンテンツを読み出しても良い。コンテンツ取得部３４３０１は、放送を受信する手段や通信手段で実現可能である。【０１９９】
情報出力部３４３０２は、コンテンツ取得部３４３０１が取得した番組または／および関連情報を出力する。ここで、出力とは、ディスプレイへの表示、音出力、外部の装置への送信等を含む概念である。情報出力部３４３０２は、ディスプレイやスピーカー等の出力デバイスを含むと考えても含まないと考えても良い。情報出力部３４３０２は、出力デバイスのドライバーソフトまたは、出力デバイスのドライバーソフトと出力デバイス等で実現され得る。【０２００】
命令信号受信部３４３０３は、中継装置３４２から1以上の命令信号を受信する。命令信号受信部３４３０３が受信する1以上の命令信号は、通常、所定の機能を実行する一連の命令信号である。命令信号受信部３４３０３は、無線の通信手段が好適であるが、有線の通信手段でも実現可能である。命令信号受信部３４３０３は、赤外線信号を受信する赤外線受光部であることは好適である。【０２０１】
動作部３４３０４は、命令信号受信部３４３０３が受信した1以上の命令信号に従って動作する。動作とは、電源のオンまたはオフ、音量のアップまたはダウン、チャンネル変更、番組の録画、番組の録画予約の設定など、番組受信装置３４３が行う動作のいずれでも良い。動作部３４３０４は、通常、ＭＰＵやメモリ等から実現され得る。動作部３４３０４の処理手順は、通常、ソフトウェアで実現され、当該ソフトウェアはＲＯＭ等の記録媒体に記録されている。但し、ハードウェア（専用回路）で実現しても良い。【０２０２】
次に、情報処理システムの動作について説明する。【０２０３】
まず、送信装置１４の動作について説明する。送信装置１４のコンテンツ送信部１４０２は、番組と番組の内容の詳細や出演者のプロフィールなどの情報である関連情報を対応付けて送信する。また、送信装置１４のコンテンツ送信部１４０２は、電子番組表も送信しても良い。【０２０４】
次に、中継装置３４２の動作について図３５、図３６のフローチャートを用いて説明する。【０２０５】
（ステップＳ３５０１）記載情報受信部３４２０２は、電子ペン１２から第一媒体３４１に記載された情報を受信したか否かを判断する。情報を受信すればステップＳ３５０２に行き、情報を受信しなければステップＳ３５０１に戻る。【０２０６】
（ステップＳ３５０２）メーカー識別子蓄積部３４２０３は、ステップＳ３５０１で受信した情報が、第一媒体３４１のメーカー欄に、電子ペン１２で記載された情報であるか否かを判断する。メーカー欄に記載された情報であればステップＳ３５０３に行き、メーカー欄に記載された情報でなければステップＳ３５０５に行く。【０２０７】
（ステップＳ３５０３）メーカー識別子蓄積部３４２０３は、ステップＳ３５０１で受信した情報から、どのメーカー欄が指示されたかを決定し、メーカー識別子を取得する。具体的には、例えば、メーカー識別子蓄積部３４２０３は、ステップＳ３５０１で受信した情報（例えば、座標情報群）が含まれる領域に対応するメーカー識別子を取得する。【０２０８】
（ステップＳ３５０４）メーカー識別子蓄積部３４２０３は、ステップＳ３５０３で取得したメーカー識別子を、図示しない記録媒体に一時蓄積する。ステップＳ３５０１に戻る。【０２０９】
（ステップＳ３５０５）命令信号取得部３４２０４は、図示しない記録媒体に記録されているメーカー識別子を読み出す。【０２１０】
（ステップＳ３５０６）命令信号取得部３４２０４は、1以上の命令信号を、変換情報格納部３４２０１から取得する。命令信号取得部３４２０４の処理の詳細について、図３６のフローチャートを用いて説明する。【０２１１】
（ステップＳ３５０７）命令信号送信部３４２０５は、ステップＳ３５０６で命令信号が取得できたか否かを判断する。命令信号が取得できていればステップＳ３５０８に行き、命令信号が取得できていなければステップＳ３５０１に戻る。【０２１２】
（ステップＳ３５０８）命令信号送信部３４２０５は、命令信号取得部３４２０４が取得した1以上の命令信号を、番組受信装置３４３に送信する。ステップＳ３５０１に戻る。【０２１３】
なお、図３５のフローチャートにおいて、電源オフや処理終了の割り込みにより処理は終了する。【０２１４】
次に、中継装置３４２のステップＳ３５０６における命令信号取得処理について、図３６のフローチャートを用いて説明する。【０２１５】
（ステップＳ３６０１）命令信号取得部３４２０４は、記載情報受信部３４２０２が受信した情報（例えば、座標情報群）から、電子ペンで指示された第一媒体３４１上の領域を決定し、当該領域に対応する命令信号を、変換情報格納部３４２０１から検索し、取得する。なお、命令信号取得部３４２０４は、記載情報受信部３４２０２が受信した情報（例えば、座標情報群）と、ステップＳ３５０５をキーとしてメーカー識別子を検索し、取得することは好適である。【０２１６】
（ステップＳ３６０２）命令信号取得部３４２０４は、ステップＳ３６０１で取得した命令信号が関連情報の出力指示か否かを判断する。関連情報の出力指示であればステップＳ３６０３に行き、関連情報の出力指示でなければステップＳ３６０４に行く。【０２１７】
（ステップＳ３６０３）命令信号取得部３４２０４は、番組受信装置３４３に送信する命令（関連情報の出力命令）を構成する。かかる場合、命令信号取得部３４２０４は、ステップＳ３６０１で関連情報の出力命令の命令識別子のみを取得し、かつ記載情報受信部３４２０２が受信した情報（例えば、座標情報群）から、どの用語（番組名や出演者名や番組の内容など）が指示されたかを決定する。そのために、ここでは、例えば、変換情報は、１以上の座標情報と番組表内の用語を対応づけた情報を有する。なお、構成した関連情報の出力命令の例は、「関連情報出力（番組名）」や「関連情報出力（出演者名）」などである。上位関数にリターンする。【０２１８】
（ステップＳ３６０４）命令信号取得部３４２０４は、ステップＳ３６０１で取得した命令信号が録画予約の指示であるか否かを判断する。録画予約の指示であればステップＳ３６０５に行き、録画予約の指示でなければ上位関数にリターンする。なお、上位関数にリターンする場合、ステップＳ３６０１で取得した命令信号が、通常、中継装置３４２が取得した命令信号である。【０２１９】
（ステップＳ３６０５）命令信号取得部３４２０４は、録画の対象の番組を識別する情報を取得する。録画の対象の番組を識別する情報とは、番組名やＧコードなどの番組識別子でも良いし、チャネル番号と時間帯の組の情報でも良い。かかる場合、例えば、変換情報は、１以上の座標情報と番組を識別する情報を対に有する。【０２２０】
（ステップＳ３６０６）命令信号取得部３４２０４は、メーカー識別子をキーとして録画予約の命令信号を検索する。そして、命令信号取得部３４２０４は、録画予約する番組を特定した命令信号を構成する。なお、構成した命令信号の例は「録画予約（２，６：００−７：００）」や「録画予約（Ｇコード）」や「録画予約（番組名）」などである。なお、既にメーカー識別子をキーとして録画予約の命令信号を取得している場合、本ステップでは、録画予約する番組を特定した命令信号を構成するだけでよい。上位関数にリターンする。【０２２１】
なお、命令信号を取得するアルゴリズムは、図３６のアルゴリズムに限られないことは言うまでもない。命令信号取得部３４２０４は、ステップＳ３６０１で命令信号を取得し、ただちに番組受信装置３４３に命令信号を送信する場合もあり得る。かかる場合、変換情報は、領域情報と、番組受信装置３４３が解釈できる（実行できる）命令信号を対に有する。【０２２２】
次に、番組受信装置３４３の動作について図３７のフローチャートを用いて説明する。【０２２３】
（ステップＳ３７０１）コンテンツ取得部３４３０１は、送信装置１４から番組または／および関連情報または／および電子番組表（ＥＰＧ）の情報を有するコンテンツを受信したか否かを判断する。なお、電子番組表（ＥＰＧ）の情報とは、例えば、いわゆるＳＩ情報である。【０２２４】
（ステップＳ３７０２）コンテンツ取得部３４３０１は、受信したコンテンツを、番組、関連情報、ＥＰＧ等に分離する。なお、コンテンツ取得部３４３０１が一種類の情報のみ（例えば、番組のみ）を受信した場合は、本ステップの処理は不要となる。【０２２５】
（ステップＳ３７０３）コンテンツ取得部３４３０１は、ステップＳ３７０２で分離した情報の中に関連情報が含まれる場合、当該関連情報を関連情報格納部１３０２に蓄積する。また、コンテンツ取得部３４３０１は、ステップＳ３７０２で分離した情報の中にＥＰＧの情報が含まれる場合、当該ＥＰＧの情報を図示しない記録媒体（メインメモリでも可）に蓄積する。【０２２６】
（ステップＳ３７０４）情報出力部３４３０２は、ステップＳ３７０２で分離した番組を出力する。【０２２７】
（ステップＳ３７０５）命令信号受信部３４３０３は、命令信号を受信したか否かを判断する。命令信号を受信すればステップＳ３７０６に行き、命令信号を受信しなければステップＳ３７０１に戻る。【０２２８】
（ステップＳ３７０６）関連情報取得部１３０４は、ステップＳ３７０５で受信した命令信号が関連情報の出力指示であるか否かを判断する。関連情報の出力指示であればステップＳ３７０７に行き、関連情報の出力指示でなければステップＳ３７０９に行く。【０２２９】
（ステップＳ３７０７）関連情報取得部１３０４は、ステップＳ３７０５で受信した命令信号に従って、関連情報格納部１３０２から関連情報を検索する。【０２３０】
（ステップＳ３７０８）情報出力部３４３０２は、ステップＳ３７０７で検索した関連情報を出力する。なお、関連情報は、例えば、番組とともに出力される。さらに具体的には、関連情報と番組は、それぞれ、ディスプレイを２分する２つのウィンドウに出力されることは好適である。【０２３１】
（ステップＳ３７０９）動作部３４３０４は、ステップＳ３７０５で受信した命令信号に従った動作を行う。この動作とは、例えば、録画予約、チャンネル変更、ボリュームアップ／ダウン、電源オン／オフなどである。【０２３２】
以下、本実施の形態における情報処理システムの具体的な動作について説明する。情報処理システムの概念図は図３８である。【０２３３】
図３８において、電子ペン１２は、ブルートゥースの近距離無線通信手段により座標情報群（電子ペン１２の軌跡を示す情報）を中継装置３４２に送信する。中継装置３４２は、例えば、ブルートゥースの近距離無線通信手段により、電子ペン１２から座標情報群を受信し、当該座標情報群を命令信号に変換し、命令信号を赤外線通信により、番組受信装置３４３に送信する。番組受信装置３４３は、例えば、デジタルテレビである。送信装置１４は、例えば、地上波または衛星によるデジタル放送装置である。また、第一媒体３４１には、番組表の情報、および番組受信装置３４３を操作するためのボタンの図柄（電源オン／オフのボタンの図柄、ボリュームアップ／ダウンのボタンの図柄、チャンネルアップ／ダウンのボタンの図柄、チャンネル番号選択のボタンの図柄など）が印刷されている。ここでは、第一媒体３４１は、紙である。第一媒体３４１は、新聞紙の番組欄を拡張したものでも良いし、テレビガイド関連の雑誌のページを構成するものでも良い。【０２３４】
かかる場合、第一媒体３４１の具体例を図３９に示す。図３９において、番組表は、時間の情報が記載された時間欄３９０１、チャンネル番号が記載されたチャンネル番号欄３９０２、番組受信装置３４３が受信し出力する番組についての情報である番組情報が記載された番組欄３９０３を有する。また、番組欄３９０３は、番組名の関連情報を出力するための番組名チェックボックス３９０３１、出演者の関連情報を出力するための出演者チェックボックス３９０３２、録画するための録画チェックボックス３９０３３も印刷されている。ユーザは、電子ペン１２で、番組名チェックボックス３９０３１をチェックすると、番組の関連情報が番組受信装置３４３に出力される。また、ユーザは、電子ペン１２で、出演者チェックボックス３９０３２をチェックすると、出演者の関連情報が番組受信装置３４３に出力される。また、ユーザは、電子ペン１２で、録画チェックボックス３９０３３をチェックすると、番組受信装置３４３に対応する番組の録画がされる、または録画予約の設定がされる。また、ユーザは、電子ペン１２で、チャンネル番号欄３９０２をチェックすると、当該チャンネルに変更される。【０２３５】
また、ここでは、第一媒体３４１には、番組受信装置３４３を操作するためのボタンの図柄の集合であるリモコン図柄が印刷されている。リモコン図柄として、第一媒体３４１には、電源オン／オフのボタンの図柄である電源図柄３９０４、ボリュームアップ／ダウンのボタンの図柄であるボリューム図柄３９０５、チャンネルアップ／ダウンのボタンの図柄であるチャンネル図柄３９０６、チャンネル番号選択のボタンの図柄であるチャンネル番号図柄３９０７、番組受信装置３４３のメーカーを指定するためのチェックボックスであるメーカーチェックボックス３９０８がある。【０２３６】
なお、第一媒体３４１は、番組表とリモコン図柄が分離されていても良い。かかる場合、リモコン図柄は、例えば、図４０である。図４０において、第一媒体３４１上に、テレビのリモコンと同様の図柄が描かれている。かかる場合、番組表は、例えば、図３９の番組表からリモコンのボタン等の図柄（電源オン／オフのボタンの図柄、ボリュームアップ／ダウンのボタンの図柄、チャンネルアップ／ダウンのボタンの図柄、チャンネル番号選択のボタンの図柄、メーカー欄の表示など）を除いたものである。【０２３７】
また、中継装置３４２の変換情報格納部３４２０１には、図４１に示す変換情報管理表が格納されている。変換情報管理表は、「ＩＤ」「領域（ｘ１，ｙ１）（ｘ２，ｙ２）」「命令信号」「意味」を有するレコードを１以上管理している。「ＩＤ」は、レコードを識別する情報であり、表におけるレコード管理のために存在する。「領域（ｘ１，ｙ１）（ｘ２，ｙ２）」は、第一媒体３４１上の領域を特定するための座標情報であり、ここでは、領域は矩形であり、左上座標（ｘ１，ｙ１）および右上座標（ｘ２，ｙ２）により特定される。「命令信号」は、番組受信装置３４３に送信される命令である。「命令信号」は、例えば、赤外線信号である。ただし、「命令信号」は、他の命令を識別する信号でも良い。「意味」は、明瞭にするために記載しているだけで、中継装置３４２は保持していなくても良い。図４１に示す変換情報管理表において、「領域（ｘ１，ｙ１）（ｘ２，ｙ２）」が示す矩形内に、電子ペン１２で記載された（チェックされた等）場合に、「命令信号」の属性値である命令信号が、中継装置３４２から番組受信装置３４３に送信されることを示す。【０２３８】
また、番組受信装置３４３の関連情報格納部１３０２は、図４２から図４４に示す関連情報を保持している。かかる関連情報は、送信装置１４から送信されたものであっても良いし、記録媒体から読み出されたものであっても良いし、図示しない送信から送信されたものであっても良い。【０２３９】
図４２は、番組情報管理表である。番組情報管理表は、「ＩＤ」「ＣＨ」「時間帯」「番組名」「番組情報」の属性値を有するレコードを１以上管理している。「ＣＨ」は、チャンネル番号、「時間帯」は時間帯の情報、「番組名」は番組名、「番組情報」は番組名またはチャンネルと時間帯で特定される番組の詳細情報である。番組情報管理表は、番組に関連する情報、例えば、番組の内容を詳細に説明する情報を管理している。【０２４０】
図４３は、出演者情報管理表である。出演者情報管理表は、「ＩＤ」「ＣＨ」「時間帯」「出演者ＩＤ」「出演者情報」の属性値を有するレコードを１以上管理している。「出演者ＩＤ」は、チャンネルと時間帯で特定される番組の出演者の中での識別子である。「出演者情報」は、出演者のプロフィール等の詳細情報である。出演者情報管理表は、番組の出演者に関連する情報、例えば、番組の出演者のプロフィールの情報を管理している。【０２４１】
図４４は、内容詳細情報管理表である。内容詳細情報管理表は、「ＩＤ」「ＣＨ」「時間帯」「内容ＩＤ」「内容詳細情報」の属性値を有するレコードを１以上管理している。「内容ＩＤ」は、チャンネルと時間帯で特定される番組で放送される各内容（項目やサブタイトルと同意義）の中での識別子である。「内容詳細情報」は、番組で放送される項目の詳細情報である。内容詳細情報管理表は、番組で放送される項目やコーナーやトピックスなどの詳細情報を管理している。【０２４２】
かかる場合、以下のように処理が行われる。【０２４３】
まず、ユーザは、電子ペン１２を持って、図３９の第一媒体３４１のメーカー欄のいずれかのメーカー識別子のチェックボックスをチェックする。このメーカー識別子は、番組受信装置３４３の製造メーカーを識別する情報である。ここで、ユーザは、「メーカーＡ」のチェックボックスを、電子ペン１２でチェックした、とする。【０２４４】
次に、電子ペン１２は、ユーザがチェックした軌跡を示す座標情報群を取得し、中継装置３４２に送信する。【０２４５】
次に、中継装置３４２の記載情報受信部３４２０２は、座標情報群を受信する。そして、メーカー識別子蓄積部３４２０３は、受信した座標情報群がメーカー欄に記載された情報であるか否かを判断する。ここで、メーカー識別子蓄積部３４２０３は、図４１のＩＤ「１５８」のレコードの属性値「領域」が示す矩形領域に座標情報群の座標情報が含まれることを検知し、座標情報群がメーカー欄に記載された情報である、と判断する。そして、メーカー識別子蓄積部３４２０３は、図４１の変換情報管理表から、命令信号「蓄積（メーカーＡ）」を取得する。次に、メーカー識別子蓄積部３４２０３は、メーカー識別子「メーカーＡ」を図示しない記録媒体に一時蓄積する。なお、命令信号「蓄積（メーカーＡ）」は、引数「メーカーＡ」を蓄積する命令である。【０２４６】
次に、ユーザは、電子ペン１２で、３９０３１の番組名チェックボックスをチェックした、とする。そして、電子ペン１２は、ユーザがチェックした軌跡を示す座標情報群を取得する。かかる座標情報群を、図４５に示す。【０２４７】
次に、電子ペン１２は、図４５に示す座標情報群を、中継装置３４２に送信する。【０２４８】
中継装置３４２の記載情報受信部３４２０２は、図４５に示す座標情報群を受信する。そして、メーカー識別子蓄積部３４２０３は、図４５に示す座標情報群がメーカー欄に記載された情報であるか否かを判断する。メーカー欄（図３９の３９０８などを含む領域）に記載された情報でないので、命令信号取得部３４２０４は、図示しない記録媒体に格納されているメーカー識別子「メーカーＡ」を取得する。【０２４９】
次に、命令信号取得部３４２０４は、図４５の座標情報群をキーとして、図４１の変換情報管理表を検索し、ＩＤ＝「５０」のレコードを取得する。そして、命令信号取得部３４２０４は、ＩＤ＝「５０」のレコードが有する命令信号「番組情報出力（２，６：００）」を読み出す。【０２５０】
次に、命令信号送信部３４２０５は、命令信号「番組情報出力（２，６：００）」を、番組受信装置３４３に送信する。【０２５１】
次に、番組受信装置３４３は、現在、番組「モーニング・ナウ」を出力中である、とする。つまり、現在、例えば、６時２２分で、チャンネル「２」の番組がチューニングされ、出力されている、とする。【０２５２】
そして、番組受信装置３４３の命令信号受信部３４３０３は、命令信号「番組情報出力（２，６：００）」を受信する。【０２５３】
次に、関連情報取得部１３０４は、命令信号「番組情報出力（２，６：００）」の「番組情報出力」から、関連情報の出力指示であると判断し、関連情報格納部１３０２から関連情報を検索する。具体的には、命令信号「番組情報出力（２，６：００）」の引数「２」に合致する「ＣＨ」であり、「６：００」を含む「時間帯」のレコードを、図４２の番組情報管理表から検索し、ＩＤ＝「１」のレコードの「番組情報」を読み出す。【０２５４】
そして、情報出力部３４３０２は、番組情報「渡辺Ｘ、田中Ｙがお届けする時事問題を中心とした・・・・」を出力する。かかる場合、情報出力部３４３０２は、例えば、図４２（ａ）の表示から、図４２（ｂ）の表示に変更する。つまり、情報出力部３４３０２は、番組のみを表示している状態から、番組と番組情報を表示するように変更する。【０２５５】
次に、ユーザは、第一媒体３４１の３９０３３（ａ）の録画チェックボックスを、電子ペン１２でチェックした、とする。【０２５６】
次に、電子ペン１２は、３９０３３（ａ）の録画チェックボックスをチェックした軌跡を示す座標情報群を取得し、中継装置３４２に送信する。【０２５７】
次に、中継装置３４２の記載情報受信部３４２０２は、座標情報群を受信する。そして、命令信号取得部３４２０４は、格納されているメーカー識別子「メーカーＡ」を読み出す。次に、命令信号取得部３４２０４は、受信した座標情報群をキーとして、図４１の変換情報管理表を検索しＩＤ＝「８５」のレコードを取得する。そして、命令信号取得部３４２０４は、メーカー識別子「メーカーＡ」に対応する、ＩＤ＝「８５」のレコードが有する命令信号「録画コードＡ（４，７：００−８：００）」を読み出す。【０２５８】
次に、命令信号送信部３４２０５は、命令信号「録画コードＡ（４，７：００−８：００）」を、番組受信装置３４３に送信する。【０２５９】
そして、番組受信装置３４３の命令信号受信部３４３０３は、命令信号「録画コードＡ（４，７：００−８：００）」を受信する。【０２６０】
次に、番組受信装置３４３の動作部３４３０４は、命令信号「録画コードＡ（４，７：００−８：００）」に従った動作を行い、番組「朝ドラマＸ」の録画予約を設定する。【０２６１】
そして、例えば、情報出力部３４３０２は、図４７（ａ）に示す、番組のみを出力している状態から、図４７（ｂ）に示すような、録画予約の設定が完了した旨の出力を行う。【０２６２】
なお、録画予約の設定が完了した旨の出力は、一定時間出力した後、自動的に未表示になることが好適である。【０２６３】
以上、本実施の形態によれば、電子ペンを用いた番組受信装置の制御ができる。さらに具体的には、媒体に記載された番組表や、媒体に記載されたリモコンの図柄を、電子ペンでチェック等することにより、録画予約できたり、チェンネル変更や音量のアップ／ダウン等ができる。【０２６４】
また、本実施の形態によれば、中継装置が電子ペンの情報から番組受信装置に与える命令信号に変換するので、公知の電子ペンや番組受信装置（テレビなど）の構成を変更する必要がない。また、電子ペンの構成が簡単になる結果、中継装置が１台あれば、多数の電子ペンで番組受信装置を制御できる。つまり、一つの中継装置で、多人数が自分の電子ペンを使用して、番組受信装置を制御できる。【０２６５】
また、本実施の形態によれば、紙媒体の番組表をチェックするだけで録画予約等が可能であるので、番組受信装置が非常に使いやすくなる。【０２６６】
また、本実施の形態によれば、電子ペンで媒体（紙など）の番組表をチェックするだけで録画予約が可能になり、録画予約した番組が媒体上に残り、何が録画予約されたかが非常に分かり易い。【０２６７】
また、本実施の形態によれば、電子ペンで媒体の番組表が有するチェックボックスをチェックするだけで、関連情報が出力されるので、ユーザが興味を持った内容が媒体上に残り、好適である。【０２６８】
また、本実施の形態によれば、ユーザは、番組の各種情報を見ながら（番組表を見ながら）、番組受信装置を制御できる。【０２６９】
なお、本実施の形態によれば、第一媒体３４１は、新聞の番組表であることは好適である。かかる場合、非常に使い易い、使い捨てのリモコンが提供でき、リモコンが家庭に溢れる、という問題や、リモコンを紛失する、という問題も少なくなる。新聞は、無くなっても翌日には届くからである。かかることは、後述する実施の形態でも同様である。なお、第一媒体３４１は、雑誌のページを構成するものでも良い。【０２７０】
また、本実施の形態において、番組等のコンテンツは、送信装置１４から送信されたが、番組受信装置３４３は記録媒体からコンテンツを読み出す構成でも良い。かかることも、後述する実施の形態でも同様である。【０２７１】
また、本実施の形態において、対象とする番組受信装置のメーカーが決まっている場合、または、メーカー共通の番組受信装置の制御コードが存在する場合など、メーカー識別子蓄積部が必要ない場合もあり得る。かかることも、後述する実施の形態でも同様である。【０２７２】
また、本実施の形態において、第一媒体に記載されている番組表やリモコンの図柄は、他の機能のボタン等（たとえば、記録媒体のコンテンツを再生したり、早送りや、巻き戻しや、コマ送りなどのボタン）が記載されていても良いことは言うまでもない。かかることも、後述する実施の形態でも同様である。
また、本実施の形態において、第一媒体（媒体）は、番組受信装置が受信し出力する番組についての情報である番組情報が記載された番組欄とチャンネル番号が記載されたチャンネル番号欄と時間の情報が記載された時間欄を有し、電子ペンで記載される欄を有し、前記電子ペンで当該欄に記載されることにより、前記番組受信装置を制御できる媒体である。番組受信装置の制御とは、上述した録画予約、チャンネル変更、音量変更、電源切り替え等である。
また、本実施の形態の具体例において、電子ペンで第一媒体に記載するのは、チェックボックスをチェックであった。しかし、他の記載方法で、番組や出演者や、録画予約の動作等を指示しても良い。例えば、ユーザは、丸の図形で番組欄を囲む記載を電子ペンで行った場合、当該丸で囲まれた番組の録画予約を行うようにしても良い。丸の図形で番組欄を囲む記載を行った場合、電子ペンは、当該丸の軌跡の座標情報群を取得し、電子ペンや中継装置や番組受信装置等で、どの番組が指示されたかを決定し、番組受信装置が当該番組の録画予約を行う。なお、ユーザが２以上の番組を一つの丸で囲む記載を電子ペンで行った場合、番組受信装置は、当該２以上の番組をまとめて、録画予約する処理をしても良い。かかる場合、ユーザは、電子ペンを用いて、例えば、２以上の番組を、１つの丸で囲む。【０２７３】
さらに、本実施の形態における中継装置を実現するソフトウェアは、以下のようなプログラムである。つまり、このプログラムは、コンピュータに、電子ペンから第一媒体に記載された情報を受信する記載情報受信ステップと、前記記載情報受信ステップで受信した情報に対応する1以上の命令信号を、格納している1以上の変換情報から取得する命令信号取得ステップと、前記命令信号取得ステップで取得した1以上の命令信号を、前記番組受信装置に送信する命令信号送信ステップを実行させるためのプログラム、である。
（実施の形態５）【０２７４】
本実施の形態において、第一媒体に番組表が記載されている。ユーザは、番組表を電子ペンでチェック等することにより、番組受信装置を操作したり、番組や出演者の詳細情報を番組受信装置に表示させたりすることができる。また、本実施の形態において、電子ペンで取得された情報を、番組受信装置を操作するための命令信号に変換する処理は、電子ペンが行う。したがって、本実施の形態において、中継装置は存在しない。【０２７５】
図４８は、本実施の形態における情報処理システムのブロック図である。【０２７６】
情報処理システムは、第一媒体３４１、電子ペン４８１、番組受信装置３４３、送信装置１４を具備する。なお、図４８のブロック図において、第一媒体３４１は省略している。【０２７７】
電子ペン４８１は、情報取得部１２０１、変換情報格納部３４２０１、メーカー識別子蓄積部３４２０３、命令信号取得部３４２０４、命令信号送信部３４２０５を具備する。電子ペン４８１を構成する各構成要素について、上記の実施の形態で説明したので、ここでの説明は省略する。【０２７８】
次に、情報処理システムを構成する電子ペン４８１の動作について、図４９のフローチャートを用いて説明する。図４９のフローチャートにおいて、図３５のフローチャートと異なるステップについてのみ説明する。【０２７９】
（ステップＳ４９０１）情報取得部１２０１が情報（例えば、座標情報群）を取得したか否かを判断する。この判断のタイミングは、一のストロークが完了した場合である。情報を取得すればステップＳ３５０２に行き、情報を取得しなければステップＳ４９０１に戻る。【０２８０】
また、番組受信装置３４３、送信装置１４の動作については説明済みである。【０２８１】
以下、本実施の形態における情報処理システムの具体的な動作について説明する。情報処理システムの概念図は図５０である。【０２８２】
図３８において、電子ペン４８１は、例えば、赤外線信号やブルートゥースの近距離無線通信手段により命令信号を番組受信装置３４３に送信する。【０２８３】
今、第一媒体３４１の例は、図３９である。また、電子ペン４８１の変換情報格納部３４２０１には、図４１に示す変換情報管理表が格納されている。【０２８４】
また、番組受信装置３４３の関連情報格納部１３０２は、図４２から図４４に示す関連情報を保持している。【０２８５】
かかる場合、まず、ユーザは、電子ペン４８１を持って、図３９の第一媒体３４１のメーカー欄の「メーカーＡ」のチェックボックスをチェックした、とする。【０２８６】
次に、電子ペン４８１は、ユーザがチェックした軌跡を示す座標情報群を取得する。【０２８７】
そして、メーカー識別子蓄積部３４２０３は、図４１の変換情報管理表から、命令信号「蓄積（メーカーＡ）」を取得する。次に、メーカー識別子蓄積部３４２０３は、メーカー識別子「メーカーＡ」を図示しない記録媒体に一時蓄積する。【０２８８】
次に、ユーザは、電子ペン４８１で、３９０３１の番組名チェックボックスをチェックした、とする。そして、電子ペン４８１は、図４５に示す座標情報群を取得する。【０２８９】
そして、命令信号取得部３４２０４は、図４５の座標情報群をキーとして、図４１の変換情報管理表を検索し、ＩＤ＝「５０」のレコードを取得する。そして、命令信号取得部３４２０４は、ＩＤ＝「５０」のレコードが有する命令信号「番組情報出力（２，６：００）」を読み出す。【０２９０】
次に、電子ペン４８１の命令信号送信部３４２０５は、命令信号「番組情報出力（２，６：００）」を、番組受信装置３４３に送信する。【０２９１】
そして、番組受信装置３４３は、実施の形態４の具体例として述べた動作を行う。つまり、番組受信装置３４３は、図４６（ｂ）に示すような出力を行う。【０２９２】
次に、ユーザは、第一媒体３４１の３９０３３（ａ）の録画チェックボックスを、電子ペン４８１でチェックした、とする。【０２９３】
次に、電子ペン４８１は、３９０３３（ａ）の録画チェックボックスをチェックした軌跡を示す座標情報群を取得する。【０２９４】
そして、命令信号取得部３４２０４は、格納されているメーカー識別子「メーカーＡ」を読み出す。次に、命令信号取得部３４２０４は、受信した座標情報群をキーとして、図４１の変換情報管理表を検索しＩＤ＝「８５」のレコードを取得する。そして、命令信号取得部３４２０４は、メーカー識別子「メーカーＡ」に対応する、ＩＤ＝「８５」のレコードが有する命令信号「録画コードＡ（４，７：００−８：００）」を読み出す。【０２９５】
次に、命令信号送信部３４２０５は、命令信号「録画コードＡ（４，７：００−８：００）」を、番組受信装置３４３に送信する。【０２９６】
そして、番組受信装置３４３は、実施の形態４の具体例として述べた動作を行う。つまり、番組受信装置３４３の動作部３４３０４は、命令信号「録画コードＡ（４，７：００−８：００）」に従った動作を行い、番組「朝ドラマＸ」の録画予約を設定する。【０２９７】
以上、本実施の形態によれば、電子ペンを用いて番組受信装置を制御できる。さらに具体的には、媒体に記載された番組表や、媒体に記載されたリモコンの図柄を、電子ペンでチェック等することにより、録画予約できたり、チェンネル変更や音量のアップ／ダウン等ができる。【０２９８】
また、本実施の形態によれば、媒体の番組表をチェックするだけで録画予約等が可能であるので、番組受信装置が非常に使いやすくなる。【０２９９】
また、本実施の形態によれば、電子ペンで媒体の番組表をチェックするだけで録画予約が可能になり、録画予約した番組が紙上に残り、何が録画予約されたかが非常に分かり易い。【０３００】
さらに、本実施の形態における電子ペンを実現するソフトウェアは、以下のようなプログラムである。つまり、このプログラムは、コンピュータに、第一媒体に記載された情報を取得する情報取得ステップと、前記情報取得ステップで取得した情報に対応する1以上の命令信号を、格納している1以上の変換情報から取得する命令信号取得ステップと、前記命令信号取得ステップで取得した1以上の命令信号を、番組受信装置に送信する命令信号送信ステップを実行するためのプログラム、である。
（実施の形態６）【０３０１】
本実施の形態において、第一媒体に番組表が記載されている。ユーザは、番組表を電子ペンでチェック等することにより、番組受信装置を操作したり、番組や出演者の詳細情報を番組受信装置に表示させたりすることができる。また、本実施の形態において、電子ペンで取得された情報を、番組受信装置を操作するための命令信号に変換する処理は、番組受信装置が行う。したがって、本実施の形態において、中継装置は存在しない。【０３０２】
図５１は、本実施の形態における情報処理システムのブロック図である。【０３０３】
情報処理システムは、第一媒体３４１、電子ペン１２、番組受信装置５１３、送信装置１４を具備する。なお、図５１のブロック図において、第一媒体３４１は省略している。【０３０４】
番組受信装置５１３は、変換情報格納部３４２０１、記載情報受信部３４２０２、命令信号取得部３４２０４、コンテンツ取得部３４３０１、情報出力部３４３０２、動作部３４３０４、関連情報格納部１３０２、関連情報取得部１３０４を具備する。番組受信装置５１３を構成する各構成要素について、上記の実施の形態で説明したので、ここでの説明は省略する。【０３０５】
次に、情報処理システムを構成する番組受信装置５１３の動作について、図５２のフローチャートを用いて説明する。図５２のフローチャートにおいて、図３５、図３７のフローチャートのステップを組み合わせた処理となるので、説明を省略する。【０３０６】
以下、本実施の形態における情報処理システムの具体的な動作について説明する。情報処理システムの概念図は図５３である。【０３０７】
図５３において、電子ペン１２は、例えば、赤外線信号やブルートゥースの近距離無線通信手段により記載された情報（例えば、座標情報群）を番組受信装置３４３に送信する。【０３０８】
今、第一媒体３４１の例は、図３９である。また、番組受信装置５１３の変換情報格納部３４２０１には、図４１に示す変換情報管理表が格納されている。【０３０９】
また、番組受信装置５１３の関連情報格納部１３０２は、図４２から図４４に示す関連情報を保持している。【０３１０】
かかる場合、まず、ユーザは、電子ペン１２を持って、３９０３１の番組名チェックボックスをチェックした、とする。【０３１１】
次に、電子ペン１２は、ユーザがチェックした軌跡を示す図４５の座標情報群を取得し、番組受信装置５１３に送信する。【０３１２】
次に、番組受信装置５１３の記載情報受信部３４２０２は、座標情報群を受信する。【０３１３】
次に、番組受信装置５１３の命令信号取得部３４２０４は、図４５の座標情報群をキーとして、図４１の変換情報管理表を検索し、ＩＤ＝「５０」のレコードを取得する。そして、命令信号取得部３４２０４は、ＩＤ＝「５０」のレコードが有する命令信号「番組情報出力（２，６：００）」を読み出す。【０３１４】
次に、関連情報取得部１３０４は、命令信号「番組情報出力（２，６：００）」の「番組情報出力」から、関連情報の出力指示であると判断し、関連情報格納部１３０２から関連情報を検索する。具体的には、命令信号「番組情報出力（２，６：００）」の引数「２」に合致する「ＣＨ」であり、「６：００」を含む「時間帯」のレコードを、図４２の番組情報管理表から検索し、ＩＤ＝「１」のレコードの「番組情報」を読み出す。【０３１５】
そして、情報出力部３４３０２は、番組情報「渡辺Ｘ、田中Ｙがお届けする時事問題を中心とした・・・・」を出力する。かかる場合、情報出力部３４３０２は、例えば、図４２（ａ）の表示から、図４２（ｂ）の表示に変更する。つまり、情報出力部３４３０２は、番組のみを表示している状態から、番組と番組情報を表示するように変更する。【０３１６】
次に、ユーザは、第一媒体３４１の３９０３３（ａ）の録画チェックボックスを、電子ペン１２でチェックした、とする。【０３１７】
次に、電子ペン１２は、３９０３３（ａ）の録画チェックボックスをチェックした軌跡を示す座標情報群を取得し、番組受信装置５１３に送信する。【０３１８】
そして、記載情報受信部３４２０２は、座標情報群を受信する。【０３１９】
次に、命令信号取得部３４２０４は、受信した座標情報群をキーとして、図４１の変換情報管理表を検索しＩＤ＝「８５」のレコードを取得する。そして、命令信号取得部３４２０４は、ＩＤ＝「８５」のレコードが有する命令信号「録画コードＡ（４，７：００−８：００）」を読み出す。【０３２０】
次に、番組受信装置３４３の動作部３４３０４は、命令信号「録画コードＡ（４，７：００−８：００）」に従った動作を行い、番組「朝ドラマＸ」の録画予約を設定する。【０３２１】
そして、例えば、情報出力部３４３０２は、図４７（ａ）に示す、番組のみを出力している状態から、図４７（ｂ）に示すような、録画予約の設定が完了した旨の出力を行う。【０３２２】
なお、録画予約の設定が完了した旨の出力は、一定時間出力した後、自動的に未表示になることが好適である。【０３２３】
以上、本実施の形態によれば、電子ペンを用いた番組受信装置の制御ができる。さらに具体的には、媒体に記載された番組表や、媒体に記載されたリモコンの図柄を、電子ペンでチェック等することにより、録画予約できたり、チェンネル変更や音量のアップ／ダウン等ができる。【０３２４】
また、本実施の形態によれば、媒体の番組表をチェックするだけで録画予約等が可能であるので、番組受信装置が非常に使いやすくなる。【０３２５】
また、本実施の形態によれば、電子ペンで媒体の番組表をチェックするだけで録画予約が可能になり、録画予約した番組が紙上に残り、何が録画予約されたかが非常に分かり易い。【０３２６】
さらに、本実施の形態における番組受信装置を実現するソフトウェアは、以下のようなプログラムである。つまり、このプログラムは、コンピュータに、送信装置から番組を受信するコンテンツ取得ステップと、前記コンテンツ取得ステップで受信した番組を出力する情報出力ステップと、電子ペンから第一媒体に記載された情報を受信する記載情報受信ステップと、前記記載情報受信ステップで受信した情報に対応する1以上の命令信号を、格納している1以上の変換情報から取得する命令信号取得ステップと、前記命令信号取得ステップで取得した1以上の命令信号に従って動作する動作ステップを実行させるためのプログラム、である。【０３２７】
なお、上記実施の形態の記載で分かるように、各処理（各機能）は、単一の装置（システム）によって集中処理されることによって実現されてもよく、あるいは、複数の装置によって分散処理されることによって実現されてもよい。上記実施の形態において、コンテンツを受信するコンテンツ取得ステップと、前記コンテンツを出力するステップと、前記コンテンツの出力中に、電子ペンを用いて媒体に記載された情報に基づいて取得された関連情報を出力するステップを具備する情報出力方法を実現できれば良い。【０３２８】
なお、本明細書の実施の形態によれば、第二媒体は、例えば、図１９に示すものであったが、図３１から図３３に示す媒体でも良い。受講者のレベルに応じて、第一解答領域を変更することは好適である。【０３２９】
また、本明細書の実施の形態によれば、第二媒体は、ノートの第一解答領域、テストの第二解答領域を有したが、どちらか一方の解答領域でも良い。また、媒体は、図１９に示す領域以外の領域を有しても良いし、図１９に示す領域の一部の領域のみ有する構成でも良い。【０３３０】
また、本明細書の実施の形態における教育コンテンツは、以下の構成が望ましい。つまり、第一部で講義の目的や受講方法が説明される。この第一部で、出席領域にチェックすることなどが、視聴者に促される。第二部で本題の講義に入る。第三部で模範ノートや他人のノートや自分のノートを見るように促す。かかる場合、集中できるＢＧＭを流すことは好適である。第四部でテストを行なう。映像または／および音声で問題を説明する。さらに、ユーザは、媒体の第二解答領域にテストの解答を電子ペンで記載していく。第五部で点数の表示、ランキングの表示、平均点の表示をすることは好適である。【０３３１】
また、本明細書の実施の形態によれば、コンテンツは主として教育用のコテンツであったが、教育用のコンテンツに限らない。つまり、本明細書において、受信したコンテンツの出力中に、電子ペンを用いて媒体に記載された情報に基づいて取得された関連情報（コンテンツに関連する情報）を出力する出力方法を提案している。コンテンツは、料理のコンテンツでも良いし、自作の撮影画像でも良いし、その他動画を含むコンテンツであれば良い。【０３３２】
また、上記で述べたプログラムを実行するコンピュータは、単数であってもよく、複数であってもよい。すなわち、集中処理を行ってもよく、あるいは分散処理を行ってもよい。【０３３３】
また、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。【０３３４】
また、上記各実施の形態において、第一媒体１１、第二媒体１３１は、紙以外の媒体でも良い。例えば、第一媒体１１、第二媒体１３１は、プラスチックなどでも良い。また、第一媒体１１と第二媒体１３１の材質が異なっていても良い。【０３３５】
また、上記各実施の形態において、一の装置に存在する２以上の通信手段（送信部など）は、物理的に一の媒体で実現されても良いことは言うまでもない。【０３３６】
また、上記各実施の形態において一の装置から他の装置への情報の送受信は、直接的であっても、間接的（第三の装置を介して）であっても良い。【０３３７】
本発明は、以上の実施の形態に限定されることなく、種々の変更が可能であり、それらも本発明の範囲内に包含されるものであることは言うまでもない。
【産業上の利用可能性】
【０３３８】
以上のように、本発明にかかる情報処理システムは、コンテンツを視聴している際に、当該視聴しているコンテンツに関連する情報を容易に取得できるという効果を有し、教育用のコンテンツサービスや情報出力装置等として有用である。
【図面の簡単な説明】
【０３３９】
【図１】実施の形態１における情報処理システムの概念図
【図２】同情報処理システムのブロック図
【図３】同座標検出技術を説明する図
【図４】同情報出力装置の動作について説明するフローチャート
【図５】同情報出力装置の動作について説明するフローチャート
【図６】同第一媒体の例を示す図
【図７】同関連情報管理表を示す図
【図８】同情報出力装置の出力例を示す図
【図９】同第一媒体の使用例を示す図
【図１０】同電子ペンが情報出力装置に送信する情報の例を示す図
【図１１】同関連情報の出力例を示す図
【図１２】同関連情報の出力例を示す図
【図１３】実施の形態２における情報処理システムの概念図
【図１４】同情報処理システムのブロック図
【図１５】同情報出力装置の動作について説明するフローチャート
【図１６】同送信装置の動作について説明するフローチャート
【図１７】同送信装置の動作について説明するフローチャート
【図１８】同送信装置の動作について説明するフローチャート
【図１９】同第二媒体の例を示す図
【図２０】同電子ペンが情報出力装置に送信する情報の例を示す図
【図２１】同出力制御管理表を示す図
【図２２】同サブウィンドウの例を示す図
【図２３】同受講者管理表を示す図
【図２４】同送信装置が保持しているひな型の例を示す図
【図２５】同問題解答情報管理表を示す図
【図２６】同情報出力装置の出力例を示す図
【図２７】同情報出力装置の出力例を示す図
【図２８】同情報出力装置の出力例を示す図
【図２９】同情報出力装置の出力例を示す図
【図３０】実施の形態３における情報処理システムのブロック図
【図３１】同媒体の例を示す図
【図３２】同媒体の例を示す図
【図３３】同媒体の例を示す図
【図３４】実施の形態４における情報処理システムのブロック図
【図３５】同中継装置の動作について説明するフローチャート
【図３６】同中継装置の動作について説明するフローチャート
【図３７】同番組受信装置の動作について説明するフローチャート
【図３８】同情報処理システムの概念図を示す図
【図３９】同第一媒体の具体例を示す図
【図４０】同第一媒体の具体例を示す図
【図４１】同変換情報管理表を示す図
【図４２】同番組情報管理表を示す図
【図４３】同出演者情報管理表を示す図
【図４４】同内容詳細情報管理表を示す図
【図４５】同座標情報群の例を示す図
【図４６】同番組受信装置の出力例を示す図
【図４７】同番組受信装置の出力例を示す図
【図４８】実施の形態５における情報処理システムのブロック図
【図４９】同電子ペンの動作について説明するフローチャート
【図５０】同情報処理システムの概念図を示す図
【図５１】実施の形態６における情報処理システムのブロック図
【図５２】同番組受信装置の動作について説明するフローチャート
【図５３】同情報処理システムの概念図を示す図
【図１】
0005110682.tif 000002
【図２】
0005110682.tif 000003
【図３】
0005110682.tif 000004
【図４】
0005110682.tif 000005
【図５】
0005110682.tif 000006
【図６】
0005110682.tif 000007
【図７】
0005110682.tif 000008
【図８】
0005110682.tif 000009
【図９】
0005110682.tif 000010
【図１０】
0005110682.tif 000011
【図１１】
0005110682.tif 000012
【図１２】
0005110682.tif 000013
【図１３】
0005110682.tif 000014
【図１４】
0005110682.tif 000015
【図１５】
0005110682.tif 000016
【図１６】
0005110682.tif 000017
【図１７】
0005110682.tif 000018
【図１８】
0005110682.tif 000019
【図１９】
0005110682.tif 000020
【図２０】
0005110682.tif 000021
【図２１】
0005110682.tif 000022
【図２２】
0005110682.tif 000023
【図２３】
0005110682.tif 000024
【図２４】
0005110682.tif 000025
【図２５】
0005110682.tif 000026
【図２６】
0005110682.tif 000027
【図２７】
0005110682.tif 000028
【図２８】
0005110682.tif 000029
【図２９】
0005110682.tif 000030
【図３０】
0005110682.tif 000031
【図３１】
0005110682.tif 000032
【図３２】
0005110682.tif 000033
【図３３】
0005110682.tif 000034
【図３４】
0005110682.tif 000035
【図３５】
0005110682.tif 000036
【図３６】
0005110682.tif 000037
【図３７】
0005110682.tif 000038
【図３８】
0005110682.tif 000039
【図３９】
0005110682.tif 000040
【図４０】
0005110682.tif 000041
【図４１】
0005110682.tif 000042
【図４２】
0005110682.tif 000043
【図４３】
0005110682.tif 000044
【図４４】
0005110682.tif 000045
【図４５】
0005110682.tif 000046
【図４６】
0005110682.tif 000047
【図４７】
0005110682.tif 000048
【図４８】
0005110682.tif 000049
【図４９】
0005110682.tif 000050
【図５０】
0005110682.tif 000051
【図５１】
0005110682.tif 000052
【図５２】
0005110682.tif 000053
【図５３】
0005110682.tif 000054